(57)【要約】  デバイスは、複数のファセットに隣接する曲線周囲セグメントと、表示領域と、表示領域を取り巻く境界領域と、境界領域内の、ファセットに対応するグループに分割された接続パッドとを有する基板を含む。接続パッドのグループに結合されたアームを有するフレキシブル回路板が含まれる。別のデバイスは、表示領域と、表示領域の周辺の境界領域内の第１の接続パッドと、第１の接続パッドに結合されるように構成された第２の接続パッドを含む第１の部分を有するフレキシブル回路板とを有する基板を含み、第２の部分は、第２の接続パッドから延びる複数の伝送線路を収容するように構成される。第１の部分の弧長は第２の部分の弧長より大きくあり得、第２の接続パッドの中心間ピッチは伝送線路の中心間ピッチより大きくあり得る。
2019506628.tif 000002
【特許請求の範囲】
【請求項１】
基板であって、
複数のファセットに隣接する曲線セグメントを含む周囲であって、前記複数のファセットの各隣接ペアが鈍角で隣接する、周囲と、
前記基板の表面上にピクセルを含む表示領域と、
前記表示領域を取り巻く境界領域と、
前記ピクセルに結合され、第１の接続パッドのグループに分割された、前記境界領域内の複数の第１の接続パッドであって、第１の接続パッドの前記グループの各々が、前記複数のファセットのうちの対応する１つのファセットに隣接する、複数の第１の接続パッドとを含む、基板と、
前記複数のファセットに対応する複数のアームを有するフレキシブル回路板であって、前記複数のアームの各々が、第１の接続パッドの前記グループのうちの対応する１つのグループに結合される、フレキシブル回路板とを備える、デバイス。
【請求項２】
前記曲線セグメントが半円形である、請求項１に記載のデバイス。
【請求項３】
前記表示領域が円形である、請求項１に記載のデバイス。
【請求項４】
前記境界領域が環状である、請求項１に記載のデバイス。
【請求項５】
前記境界領域が幅を有し、所与の直径の基板および所与の量の第１の接続パッドに対して、前記境界領域の前記幅が、第１の接続パッドの前記グループの各々の中の第１の接続パッドの数を低減するためにファセットを前記複数のファセットに追加することによって低減される、請求項１に記載のデバイス。
【請求項６】
前記フレキシブル回路板に動作可能に結合されたディスプレイドライバをさらに備え、前記複数のファセットに隣接する第１の接続パッドの前記グループが、前記フレキシブル回路板の前記複数のアームを介して前記ディスプレイドライバに結合される、請求項１に記載のデバイス。
【請求項７】
前記フレキシブル回路板が１つのディスプレイドライバのみを含む、請求項６に記載のデバイス。
【請求項８】
各アームを前記基板の前記周囲回りに巻き付けることと、各アームの複数の第２の接続パッドが前記基板の対応する第１の接続パッドに結合される前に前記フレキシブル回路板を前記基板の裏面に隣接して位置決めすることとを容易にするために、前記複数のアームの各アームが、対応するファセットの縁部に平行な１つの折り畳み部のみを含む、請求項１に記載のデバイス。
【請求項９】
前記アームを前記基板の前記周囲回りに巻き付けることと、前記複数のアームの各アームの複数の第２の接続パッドが前記基板上の対応する第１の接続パッドに結合された後に前記フレキシブル回路板を前記基板の裏面に隣接して位置決めすることとを容易にするために、前記複数のアームのうちの１つのアームが、対応するファセットの縁部に平行な１つの折り畳み部と複数の非平行な折り畳み部とを含む、請求項１に記載のデバイス。
【請求項１０】
前記デバイスが、ウェアラブルデバイスおよび腕時計様のウェアラブルデバイスのうちの少なくとも１つを含むグループから選択された電子デバイス内に組み込まれる、請求項１に記載のデバイス。
【請求項１１】
基板であって、
複数のファセットに隣接する曲線セグメントを含む周囲であって、前記複数のファセットの各隣接ペアが鈍角で隣接する、周囲と、
前記基板の表面上にピクセルを含む表示領域と、
前記表示領域を取り巻く境界領域と、
前記ピクセルに結合され、第１の接続パッドのグループに分割された、前記境界領域内の複数の第１の接続パッドであって、第１の接続パッドの前記グループの各々が、前記複数のファセットのうちの対応する１つのファセットに隣接する、複数の第１の接続パッドとを含む、基板と、
前記複数の第１の接続パッドに結合するための手段とを含む、デバイス。
【請求項１２】
前記表示領域が円形である、請求項１１に記載のデバイス。
【請求項１３】
前記境界領域が環状である、請求項１１に記載のデバイス。
【請求項１４】
前記複数の第１の接続パッドに結合するための前記手段が、前記複数のファセットに対応する複数のアームを有するフレキシブル回路板を備え、前記複数のアームの各々が、第１の接続パッドの前記グループのうちの対応する１つのグループに結合される、請求項１１に記載のデバイス。
【請求項１５】
各アームを前記基板の前記周囲回りに巻き付けることと、各アームの複数の第２の接続パッドが前記基板の対応する第１の接続パッドに結合される前に前記フレキシブル回路板を前記基板の裏面に隣接して位置決めすることとを容易にするために、前記複数のアームの各アームが、対応するファセットの縁部に平行な１つの折り畳み部のみを含む、請求項１４に記載のデバイス。
【請求項１６】
前記アームを前記基板の前記周囲回りに巻き付けることと、前記複数のアームの各アームの複数の第２の接続パッドが前記基板上の対応する第１の接続パッドに結合された後に前記フレキシブル回路板を前記基板の裏面に隣接して位置決めすることとを容易にするために、前記複数のアームのうちの１つのアームが、対応するファセットの縁部に平行な１つの折り畳み部と複数の非平行な折り畳み部とを含む、請求項１４に記載のデバイス。
【請求項１７】
基板であって、
第１の表面、対向する第２の表面および前記基板の周囲における縁部であって、前記縁部がＮ個のファセットに隣接する曲線セグメントを含み、前記Ｎ個のファセットの隣接ペアが鈍角で隣接し、Ｎが２以上である、第１の表面、対向する第２の表面および前記基板の周囲における縁部と、
前記基板の表示領域内の複数のピクセルと、
前記表示領域の周辺の境界領域内の、前記複数のピクセルに結合された、接続パッドのＮ個のグループであって、接続パッドの前記Ｎ個のグループの各々が前記Ｎ個のファセットのうちの対応する１つのファセットに隣接する、接続パッドのＮ個のグループとを含む、基板と、
Ｎ個のアームで構成されたフレキシブル回路板であって、前記Ｎ個のアームの各々が、接続パッドの前記Ｎ個のグループのうちの対応する１つのグループに結合される、フレキシブル回路板とを備えるデバイス。
【請求項１８】
前記曲線セグメントが半円形である、請求項１７に記載のデバイス。
【請求項１９】
前記表示領域が円形である、請求項１７に記載のデバイス。
【請求項２０】
前記境界領域が環状である、請求項１７に記載のデバイス。
【請求項２１】
前記境界領域が幅を有し、第１の直径の基板に対して、前記境界領域の前記幅が、Ｎの値を増加することによって低減される、請求項１７に記載のデバイス。
【請求項２２】
ディスプレイドライバをさらに備え、接続パッドの前記Ｎ個のグループの各々が、前記フレキシブル回路板の前記Ｎ個のアームを介して前記ディスプレイドライバに結合される、請求項１７に記載のデバイス。
【請求項２３】
前記Ｎ個のアームを前記基板の前記縁部回りに巻き付けることと、前記Ｎ個のアームが接続パッドの前記Ｎ個のグループに結合される前に前記フレキシブル回路板を前記基板の裏面に隣接して位置決めすることとを容易にするために、前記Ｎ個のアームの各々が、対応するファセットに平行な１つの折り畳み部のみを含む、請求項１７に記載のデバイス。
【請求項２４】
前記Ｎ個のアームを前記基板の前記縁部回りに巻き付けることと、前記Ｎ個のアームが接続パッドの前記Ｎ個のグループに結合された後に前記フレキシブル回路板を前記基板の裏面に隣接して位置決めすることとを容易にするために、前記Ｎ個のアームの各々が、対応するファセットに平行な１つの折り畳み部と複数の非平行な折り畳み部とを含む、請求項１７に記載のデバイス。
【請求項２５】
外周を有する基板と、
表示領域内の、前記基板の第１の面上の複数のピクセルと、
前記表示領域の周辺にあり前記外周に隣接する環状境界領域内の、前記基板の前記第１の面上の複数の第１の接続パッドであって、前記複数のピクセルが前記複数の第１の接続パッドに結合される、複数の第１の接続パッドと、
フレキシブル回路板とを備え、前記フレキシブル回路板が、
前記複数の第１の接続パッドのうちの対応する接続パッドに結合されるように構成された複数の第２の接続パッドを含む第１の部分であって、前記第１の部分が前記環状境界領域のセグメントに対応する形状を有する、第１の部分と、
第２の接続パッドから延びる複数の伝送線路を収容するように構成された第２の部分であって、前記複数の伝送線路が、前記第１の部分の上および／または中で前記第２の部分まで経路指定され、前記第２の部分の上および／または中の領域を占有し、前記第１の部分の弧長が前記第２の部分の弧長より大きい、第２の部分とを含み、
前記第１の部分内の前記複数の第２の接続パッドの中心間ピッチが、前記第２の部分の上および／または中の前記領域内の前記複数の伝送線路の中心間ピッチより大きい、デバイス。
【請求項２６】
前記外周が円形である、請求項２５に記載のデバイス。
【請求項２７】
前記外周が、ファセットに隣接する曲線セグメントを含み、前記第２の部分が、前記ファセットに隣接する前記基板の縁部回りに巻き付くように構成される、請求項２５に記載のデバイス。
【請求項２８】
前記表示領域が円形である、請求項２５に記載のデバイス。
【請求項２９】
前記表示領域の縁部の近傍にある前記第１の部分の縁部が、前記表示領域の前記縁部まで延びる、請求項２５に記載のデバイス。
【請求項３０】
前記表示領域の縁部の近傍にある前記第１の部分の縁部が、前記基板のフリット境界内に延びる、請求項２５に記載のデバイス。
【発明の詳細な説明】
【技術分野】
【０００１】
関連出願の相互参照
本出願は、２０１５年１２月１５日に米国特許商標庁に出願された仮出願第６２／２６７，７２６号、および２０１６年５月１３日に米国特許商標庁に出願された非仮出願第１５／１５４，７７４号の優先権および利益を主張し、それらの内容全体が参照により本明細書に組み込まれる。
【０００２】
様々な特徴は、ウェアラブルディスプレイに関し、より詳細には、最小境界を有するディスプレイパネルを含む腕時計様のウェアラブルデバイスに関する。
【背景技術】
【０００３】
腕時計様のウェアラブルデバイスは、スマートウォッチと呼ばれることが多い。スマートウォッチは、スタイリッシュファッションアクセサリと機能デバイスとの２つの役割を担う。スマートウォッチの製造者は、時計筐体の外側の特定の形状と、時計筐体内に含まれるディスプレイパネルの表示領域（たとえば、アクティブピクセルを含むディスプレイパネルの一部分）の形状とを要望する。円形は、最も優雅なおよび／または精巧な形状であると知覚され得る。円形筐体内の円形表示領域の知覚された優雅さおよび精巧さは、スマートウォッチの表示領域を取り巻く狭いベゼルによって強調される。
【０００４】
できるだけ狭いベゼルとできるだけ大きい表示領域とを提供することが望ましい。狭いベゼルは表示領域を最大化し、積極的な視覚的印象を与える。ベゼルは、表示領域の外縁に隣接する境界領域を隠し得るので、境界領域もまたできるだけ狭くあるべきである。しかしながら、境界領域内の伝送線路（たとえば、制御線、ディスプレイドライバ線、電力線および／または接地線）は、表示領域および境界領域内の回路を接続パッドに結合する。接続パッドは、フレキシブル回路板への接続を容易にするために、直線の列に配列され得る。接続パッドの構成は設計上の選択ではなく、接続パッドの構成は、たとえば、スマートウォッチの製造者および設計者によって選択されるスマートウォッチのスタイリッシュな形状によって当業者に強いられる技術的問題である。円形および非円形のディスプレイパネルに対して境界領域を最小化し、表示領域を最大化するように接続パッドを構成することは、当業者に実世界の問題を提示する。
【発明の概要】
【課題を解決するための手段】
【０００５】
一態様によれば、最小境界を有するディスプレイパネルは、複数のファセットに隣接する曲線セグメントを含む周囲であって、複数のファセットの各隣接ペアは鈍角で隣接する、周囲と、基板の表面上にピクセルを含む表示領域と、表示領域を取り巻く境界領域と、ピクセルに結合されかつ第１の接続パッドのグループに分割された、境界領域内の複数の第１の接続パッドであって、第１の接続パッドのグループの各々は複数のファセットのうちの対応するファセットに隣接する、複数の第１の接続パッドとを含む基板を有するデバイスを含み得る。デバイスは、複数のファセットに対応する複数のアームを有するフレキシブル回路板をさらに含むことができ、複数のアームの各々は、第１の接続パッドのグループのうちの対応する接続パッドに結合される。
【０００６】
一実装形態では、曲線セグメントは半円形であり得る。表示領域は円形であり得る。境界領域は環状であり得る。
【０００７】
一態様によれば、境界領域は幅を有することができ、所与の直径の基板および所与の量の第１の接続パッドに対して、境界領域の幅は、第１の接続パッドのグループの各々の中の第１の接続パッドの数を低減するためにファセットを複数のファセットに追加することによって低減され得る。
【０００８】
一実装形態では、デバイスは、フレキシブル回路板に動作可能に結合されたディスプレイドライバをさらに含むことができ、複数のファセットに隣接する第１の接続パッドのグループは、フレキシブル回路板の複数のアームを介してディスプレイドライバに結合される。一実装形態では、フレキシブル回路板は１つのディスプレイドライバのみを含む。
【０００９】
一実装形態では、各アームを基板の周囲回りに巻き付けることと、各アームの複数の第２の接続パッドが基板の対応する第１の接続パッドに結合される前にフレキシブル回路板を基板の裏面に隣接して位置決めすることとを容易にするために、複数のアームの各アームは、対応するファセットの縁部に平行な１つの折り畳み部（ｆｏｌｄ）のみを含み得る。
【００１０】
別の実装形態では、アームを基板の周囲回りに巻き付けることと、複数のアームの各アームの複数の第２の接続パッドが基板上の対応する第１の接続パッドに結合された後にフレキシブル回路板を基板の裏面に隣接して位置決めすることとを容易にするために、複数のアームのうちの１つのアームは、対応するファセットの縁部に平行な１つの折り畳み部と複数の非平行な折り畳み部とを含み得る。
【００１１】
一態様では、デバイスは、ウェアラブルデバイスおよび腕時計様のウェアラブルデバイスのうちの少なくとも１つを含むグループから選択された電子デバイス内に組み込まれ得る。
【００１２】
一態様によれば、デバイスは、複数のファセットに隣接する曲線セグメントを含む周囲であって、複数のファセットの各隣接ペアは鈍角で隣接する、周囲と、基板の表面上にピクセルを含む表示領域と、表示領域を取り巻く境界領域と、ピクセルに結合されかつ第１の接続パッドのグループに分割された、境界領域内の複数の第１の接続パッドであって、第１の接続パッドのグループの各々は複数のファセットのうちの対応するファセットに隣接する、複数の第１の接続パッドとを含む基板と、複数の第１の接続パッドに結合するための手段とを含み得る。
【００１３】
一実装形態では、複数の第１の接続パッドに結合するための手段は、複数のファセットに対応する複数のアームを有するフレキシブル回路板を含むことができ、複数のアームの各々は、第１の接続パッドのグループのうちの対応する接続パッドに結合される。
【００１４】
一態様では、各アームを基板の周囲回りに巻き付けることと、各アームの複数の第２の接続パッドが基板の対応する第１の接続パッドに結合される前にフレキシブル回路板を基板の裏面に隣接して位置決めすることとを容易にするために、複数のアームの各アームは、対応するファセットの縁部に平行な１つの折り畳み部のみを含み得る。別の態様では、アームを基板の周囲回りに巻き付けることと、複数のアームの各アームの複数の第２の接続パッドが基板上の対応する第１の接続パッドに結合された後にフレキシブル回路板を基板の裏面に隣接して位置決めすることとを容易にするために、複数のアームのうちの１つのアームは、対応するファセットの縁部に平行な１つの折り畳み部と複数の非平行な折り畳み部とを含み得る。
【００１５】
一実装形態では、デバイスは、第１の表面、対向する第２の表面および基板の周囲における縁部であって、縁部はＮ個のファセットに隣接する曲線セグメントを含み、Ｎ個のファセットの隣接ペアは鈍角で隣接し、Ｎは２以上であり得る、第１の表面、対向する第２の表面および基板の周囲における縁部と、基板の表示領域内の複数のピクセルと、表示領域の周辺の境界領域内で複数のピクセルに結合された接続パッドのＮ個のグループであって、接続パッドのＮ個のグループの各々はＮ個のファセットのうちの対応するファセットに隣接する、接続パッドのＮ個のグループとを含む基板を含み得る。デバイスは、Ｎ個のアームで構成されたフレキシブル回路板をさらに含むことができ、Ｎ個のアームの各々は、接続パッドのＮ個のグループのうちの１つの対応するグループに結合され得る。一態様では、曲線セグメントは半円形であり得る。表示領域は円形であり得る。境界領域は環状であり得る。
【００１６】
一態様によれば、境界領域は幅を有することができ、第１の直径の基板に対して、境界領域の幅は、Ｎの値を増加することによって低減され得る。
【００１７】
一実装形態では、デバイスはディスプレイドライバをさらに含むことができ、接続パッドのＮ個のグループの各々は、フレキシブル回路板のＮ個のアームを介してディスプレイドライバに結合され得る。
【００１８】
一態様では、Ｎ個のアームを基板の縁部回りに巻き付けることと、Ｎ個のアームが接続パッドのＮ個のグループに結合される前にフレキシブル回路板を基板の裏面に隣接して位置決めすることとを容易にするために、Ｎ個のアームの各々は、対応するファセットの縁部に平行な１つの折り畳み部のみを含み得る。
【００１９】
別の態様では、Ｎ個のアームを基板の縁部回りに巻き付けることと、Ｎ個のアームが接続パッドのＮ個のグループに結合された後にフレキシブル回路板を基板の裏面に隣接して位置決めすることとを容易にするために、Ｎ個のアームの各々は、対応するファセットの縁部に平行な１つの折り畳み部と、複数の非平行な折り畳み部とを含み得る。
【００２０】
別の態様によれば、デバイスは、外周を有する基板と、表示領域内の、基板の第１の面の複数のピクセルと、表示領域の周辺にあり、外周に隣接する環状境界領域内の、基板の第１の面上の複数の第１の接続パッドであって、複数のピクセルが複数の第１の接続パッドに結合される、複数の第１の接続パッドとを含み得る。デバイスは、複数の第１の接続パッドのうちの対応する接続パッドに結合されるように構成された複数の第２の接続パッドを含む第１の部分であって、第１の部分は環状境界領域のセグメントに対応する形状を有し得る、第１の部分と、第２の接続パッドから延びる複数の伝送線路を収容するように構成された第２の部分とを含むフレキシブル回路板をさらに含むことができ、複数の伝送線路は第１の部分の上および／または中で第２の部分まで経路指定されて第２の部分の上および／または中の領域を占有することができ、第１の部分の弧長は第２の部分の弧長より大きくあり得、第１の部分内の複数の第２の接続パッドの中心間ピッチは、第２の部分の上および／または中の領域内の複数の伝送線路の中心間ピッチより大きくあり得る。
【００２１】
一実装形態では、外周は円形であり得る。別の実装形態では、外周は、ファセットに隣接する曲線セグメントを含むことができ、第２の部分は、ファセットに隣接する基板の縁部回りに巻き付く（ｗｒａｐ  ａｒｏｕｎｄ）ように構成され得る。一態様では、表示領域は円形であり得る。一実装形態では、表示領域の縁部の近傍にある第１の部分の縁部は、表示領域の縁部まで延びることができる。一実装形態では、表示領域の縁部の近傍にある第１の部分の縁部は、基板のフリット境界（ｆｒｉｔ  ｂｏｒｄｅｒ）内に延びることができる。
【００２２】
様々な特徴、性質、および利点は、同様の参照符号が全体にわたって対応して識別する図面と併せて読まれると、以下に記載する詳細な説明から明らかになり得る。
【図面の簡単な説明】
【００２３】
【図１】従来技術によるディスプレイパネルの「フラットタイヤ」構成の平面図である。
【図２】従来技術によるディスプレイパネルの「タブ」構成の平面図である。
【図３Ａ】本明細書で説明する一態様による、最小幅境界領域を有するディスプレイパネルの平面図である。
【図３Ｂ】図３Ａのディスプレイパネルの側面図である。
【図４】本明細書で説明する一態様による、図３の基板と同様の基板の平面図である。
【図５】本明細書で説明する一態様による、伝送線路および接続パッドのサンプルが描かれている、基板の平面図である。
【図６】本明細書で説明する一態様による、筐体の凹部内のディスプレイパネルを示す図である。
【図７】本明細書で説明する第１の態様によるディスプレイドライバアセンブリを示す図である。
【図８】本明細書で説明する一態様による、ディスプレイドライバアセンブリに結合されたディスプレイパネルを示す図である。
【図９Ａ】本明細書で説明する一態様による、ディスプレイドライバアセンブリの上に位置するディスプレイパネルを示す図である。
【図９Ｂ】本明細書で説明する一態様による、ディスプレイドライバアセンブリの上に位置するディスプレイパネルを示す図である。
【図１０】本明細書で説明する一態様による、筐体の凹部内のディスプレイパネルの縁部分を示す図である。
【図１１Ａ】本明細書で説明する一態様による、筐体の凹部内のディスプレイパネルの平面図である。
【図１１Ｂ】図１１Ａの１１Ｂ−１１Ｂと記された線に沿って取られた断面図である。
【図１２】本明細書で説明する一態様による、フレキシブル回路板に接着された基板の平面図である。
【図１３Ａ】本明細書で説明する図３〜図１２の基板のうちのいずれかを含み得る電子デバイスの一実装形態の上面の平面図である。
【図１３Ｂ】図１３Ａの線１３Ｂ−１３Ｂに沿って取られた断面図である。
【発明を実施するための形態】
【００２４】
以下の説明では、本開示の様々な態様を完全に理解できるように、具体的な詳細が与えられる。しかしながら、態様がこれらの具体的な詳細なしに実践され得ることが、当業者によって理解されよう。たとえば、回路は、不必要な詳細で態様を曖昧にすることを避けるために、ブロック図で示されることがある。他の事例では、よく知られている回路、構造、および技法は、本開示の態様を曖昧にしないために、詳細に示されないことがある。
【００２５】
本明細書で使用する「ベゼル」という用語は、筐体（たとえば、スマートウォッチ筐体）の透明カバーリング（たとえば、腕時計のガラス）を取り巻くリムを指すために使用され得る。ベゼルは、透明カバーリングを筐体上に保持し得るかまたは保持しているように見えることがある。ベゼルは、ディスプレイパネルの表示領域の外縁に隣接する境界領域の少なくとも一部分を隠し得る。
【００２６】
本明細書で使用する「基板」という用語は、ディスプレイパネルのガラスまたはプラスチックの部品を指すために使用され得る。
【００２７】
本明細書で使用する「円形の」という用語は、円、円板または円筒に似ているかまたはほぼ似ている形状の、を意味し得る。「円形の」および「丸い」という用語は、互換的に使用され得る。「非円形の」という用語は、直線および／または曲線セグメントによって縁どられた閉じた平面図に似ているかまたはほぼ似ている形状の、を意味し得る。「曲線の」という用語は、曲線からなる、または曲線によって境界を付けられた、を意味し得る。
【００２８】
本明細書で使用する「表示領域」という用語は、アクティブピクセルを含むディスプレイパネルの一部分を意味し得る。表示領域は、ディスプレイパネルが筐体（たとえば、スマートウォッチ筐体）内に密閉されたとき、ユーザが認識可能なディスプレイパネルの部分であり得る。
【００２９】
本明細書で使用する「上の」という用語は、何かの上の空間を占めることを意味し得る。「上」という用語の使用は、参照要素と、参照要素の「上」にあると記述される物との間の空間を占める１つまたは複数の中間要素の存在を企図することがある。
【００３０】
いくつかの実装形態では、基板の高さは、本開示の図に示す、基板のＺ方向に沿って規定され得る。いくつかの実装形態では、基板のＺ方向は、基板の上面の表面（本明細書では前面の表面とも呼ばれる）と裏面の表面（本明細書では底面または背面の表面とも呼ばれる）との間の軸に沿って規定され得る。上面（または上）および裏面（または底）という用語は恣意的に割り当てられてもよいが、一例として、基板の上面の表面は、入力／出力接続パッドおよび表示領域の大部分を含む部分であり得る一方、基板の裏面の表面は、裏面と反対の部分であり得る。上面の部分は、より低い裏面の部分に対してより高い部分であり得る。裏面の部分は、より高い部分に対してより低い部分であり得る。上面の部分および裏面の部分のさらなる例が、以下でさらに説明される。基板のＸ−Ｙ方向は、基板の横方向および／またはフットプリントを指し得る。Ｘ−Ｙ方向の例は、本開示の図に示され、かつ／または以下でさらに説明される。
【００３１】
ウェアラブルデバイスの１つのクラスは、腕時計様のデバイスを含む。腕時計様のウェアラブルデバイスは、従来の腕時計と同じ方法でユーザの手首に巻かれ得る。ウェアラブルデバイスは、鮮明なカラーを有する高精細ビデオディスプレイを含み得る。ウェアラブルデバイスは、多数のアプリケーションを実行することができる処理回路を含み得る。
【００３２】
概要
いくつかの特徴は、複数の隣接ファセットを有する周囲を有する電子デバイス（たとえば、スマートウォッチ）のディスプレイパネルの基板に関する。基板は、アクティブピクセルを含む表示領域を含む。基板はまた、表示領域の周辺の境界領域を含む。境界領域は、アクティブピクセルに結合された接続パッドを含む。複数の隣接ファセットの各々は縁部（たとえば、直線縁部）をもたらし、その縁部に隣接して、接続パッドのグループが形成され得る。接続パッドのグループは、複数の隣接ファセットの間に分配され得る。一態様では、各ファセットに隣接して形成された接続パッドの各グループは、複数アームのフレキシブル回路板（たとえば、フレキシブル基板回路板、フレキシブルリボン回路板、フレキシブルフィルム回路板）のうちの１つのアームの接続パッドの対応するグループに結合され得る。ファセット当たりに１つのアームが、複数アームのフレキシブル回路板から延びることができる。アームは、基板回りに巻き付くことができる。本開示の態様によれば、第１の直径の基板および第１の数の接続パッドに対して、境界領域の幅は、ファセットの量を増加することと、対応して接続パッドの各グループ内の接続パッドの数を減少することとによって減少され得る。
【００３３】
従来技術のディスプレイパネル
図１は、従来技術によるディスプレイパネル１００の「フラットタイヤ」構成の平面図を示す。ディスプレイパネル１００は、基板１０２（たとえば、底のガラス）を含む。基板１０２は、表示領域１０４を含む。表示領域１０４は、円形形状を有しない。円形表示領域を形成するために使用され得る基板１０２の一部分は、フラットタイヤ領域１１０を設けるために失われる。フラットタイヤ構成では、線１０８は、表示領域１０４の底部を横切って効果的に引くことができ、線１０８は、基板１０２の左外縁から基板１０２の右外縁まで延びる。フラットタイヤ領域１１０は、線１０８の下の切断された（たとえば、切り取られた）丸い領域によって画定され得る。フラットタイヤ領域１１０は、伝送線路を介して表示領域１０４のピクセルに結合された基板１０２の接続パッドを含む。伝送線路は、フラットタイヤ領域１１０内の接続パッドに経路指定され得る。基板１０２の接続パッドは、フラットタイヤ領域１１０内のフレキシブル回路板の対応する接続パッドに接着され得る。境界領域１０６は、表示領域１０４の外縁と基板１０２の外縁の一部分との間に画定され得るが、境界領域１０６は、フラットタイヤ領域１１０とは異なる。接続パッドは、図１の例示的な「フラットタイヤ」構成の境界領域１０６の中には設置されない。
【００３４】
フラットタイヤ領域１１０の寸法は、たとえば、フラットタイヤ領域１１０内に設置された接続パッドおよび伝送線路１１６の数、伝送線路１１６の幅、伝送線路１１６の間の最小間隔などに依存する場合がある。所与の直径を有する基板１０２に対して、伝送線路の数が増加する（伝送線路の幅および間隔は一定のままであると仮定する）につれて、フラットタイヤ領域１１０によって占有される空間は増加することになり、したがって、フラットタイヤ領域１１０は、伝送線路および／または接続パッドの数が増加するにつれて、表示領域１０４にさらに侵入することになる。したがって、フラットタイヤ領域１１０で構成される基板１０２は、円形の（たとえば、丸い）表示領域に適合しない。
【００３５】
フレキシブル回路板１１２は、基板１０２の外縁の下に巻き付けられ得る。フレキシブル回路板１１２は、コネクタ１１４を介して基板１０２の裏面に隣接するプリント回路板（図示せず）に結合し得る。図１のフレキシブル回路板１１２は、フラットタイヤ領域１１０内の複数の接続パッド上に存在する信号をコネクタ１１４に伝送するために使用され得る。
【００３６】
ディスプレイパネル１００が円形開口を有する筐体（図示せず）に挿入されるとき、フラットタイヤ領域１１０およびフラットタイヤ領域１１０に隣接する表示領域１０４（たとえば、切り取られた領域）は、ともに円形開口内に位置し得る。追加のカバーリングはないので、両方をユーザは視認可能である。
【００３７】
不透明な（たとえば、光を透過しない）層は、フラットタイヤ領域１１０と基板１０２の外縁の下に巻き付けられないフレキシブル回路板１１２の任意の部分とをユーザから隠すために使用され得る。フラットタイヤ領域１１０とフレキシブル回路板１１２の任意の露出された部分とを隠すために不透明層を使用することで、表示領域１０４の底が見えなくなるかまたは視界から隠される外観を与える視覚効果がもたらされる。この視覚効果は、自動車のフラットタイヤの外観を連想させ得る。したがって、このタイプのディスプレイは、フラットタイヤディスプレイと呼ばれ得る。フラットタイヤディスプレイは、少なくとも、表示領域１０４の美的に満足な円形形状を歪曲する（たとえば、表示領域１０４を切り取ることによって生じる）、および基板１０２の境界領域１０６を最小化できない、という問題を有する。
【００３８】
図２は、従来技術によるディスプレイパネル２００の「タブ」構成の平面図を示す。タブ構成は、タブ構造２１０を収容するように形成された細長い部分を有する筐体を有するスマートウォッチにおいて見られ得る。タブ構造２１０は、基板２０２から延びて、基板２０２に統合され得る。いくつかの実装形態では、筐体の細長い部分は望ましくない。
【００３９】
ディスプレイパネル２００の「タブ」構成では、表示領域２０４内のピクセル間を結合された伝送線路２１６は、タブ構造２１０の中および／または上で、タブ構造２１０の遠位端に位置する接続パッドまで経路指定され得る。図２の例では、接続パッドは、ディスプレイパネル２００の中心より遠位にあるタブ構造２１０の縁部に沿って配置され得る。したがって、接続パッドは、タブ構造２１０の幅と同じ幅を占有することができる。加えて、接続パッドに結合され得るフレキシブル回路板２１２はまた、タブ構造２１０の幅と同じ幅を占有することができる。そのような構成では、タブ構造の伝送線路およびタブ構造２１０の遠位端におけるそれらの関連する接続パッドは、同じ中心間ピッチを有し得る。さらに、そのような構成では、フレキシブル回路板２１２内の伝送線路およびタブ構造２１０の端部において接続パッドに結合されたそれらの関連する接続パッドは、同じ中心間ピッチを有し得る。
【００４０】
ディスプレイパネル２００は、基板２０２（たとえば、底のガラス）を含む。表示領域２０４は、基板２０２に対して画定され得る。境界領域２０６は、表示領域２０４の外縁と基板２０２の外縁の一部分との間に画定され得るが、境界領域２０６は、タブ構造２１０とは異なる。接続パッドは、図２の例示的な「タブ」構成の境界領域２０６の中に設置される。
【００４１】
タブ構造２１０の寸法は、伝送線路２１６の幅ならびに伝送線路２１６の数に依存する場合がある。
【００４２】
フレキシブル回路板２１２は、タブ構造２１０内の複数の接続パッドに結合（たとえば、接着）され得る。
【００４３】
フレキシブル回路板２１２は、基板２０２のタブ構造２１０の外縁の下に巻き付けられ得る。フレキシブル回路板２１２は、コネクタ２１４を介して基板２０２の裏面に隣接するプリント回路板に結合し得る。特に、伝送線路２１６の複数の接続パッドまでの経路指定は、タブ構造２１０において生じる。図２のフレキシブル回路板２１２は、タブ構造２１０における複数の接続パッド上に存在する信号をコネクタ２１４に伝送するように構成され得る。
【００４４】
ディスプレイパネル２００の「タブ構成」は、ディスプレイパネル２００を保持する筐体内にタブ構造２１０を収容するために、ディスプレイパネル２００を保持する筐体の少なくとも一領域の突出または延長によって追加される少なくとも余分な幅の問題を有する。
【００４５】
カットされた縁部を有する例示的なディスプレイパネル
本明細書で説明する実装形態は、基板の境界領域内の複数の接続領域にわたって接続を分配し得る。接続領域の数が増加するにつれて、各接続領域内の接続パッドの数は減少し得る。各接続領域内でより少ない接続パッドを処理することによる１つの結果は、より少ない伝送線路が各接続領域に結合されることであり得る。より少ない伝送線路では、境界領域内で伝送線路のよりコンパクトな経路指定（より少ないファンアウト）が可能になり、したがって境界領域は狭小化され得る。
【００４６】
本明細書で説明する接続パッドの構成ならびに／またはフレキシブル回路板の使用および構成は設計上の選択ではなく、構成は、たとえば、スマートウォッチの製造者および設計者によって選択されるスマートウォッチの形状によって当業者に押し付けられ得る技術的問題である。境界領域を最小化して表示領域を最大化するように接続パッドを構成すること、ならびに円形および実質的に円形のディスプレイパネルに対する本明細書で説明するフレキシブル回路板の構成は、実世界の問題を当業者に提示し、その問題は本明細書で説明する態様によって解決され得る。
【００４７】
図３Ａは、本明細書で説明する一態様による、最小幅の境界領域を有するディスプレイパネル３００の平面図を示す。図３Ｂは、図３Ａのディスプレイパネル３００の側面図を示す。ディスプレイパネル３００は、基板３０２と、基板３０２の上面（たとえば、前面）に形成された多数の導電層および誘電体層（総称して「上位層」３０４）とを含み得る。基板３０２の裏面上に１つまたは複数の導電層および誘電体層を形成することを妨げるものは、本明細書には存在しない。基板は、たとえば、低温ポリシリコン（ＬＴＰＳ）ガラスから作られ得る。
【００４８】
一実装形態では、基板３０２は、半円形縁部３１４（たとえば、曲線セグメント）と、複数のファセット３１６、３１８、３２０、３２２、３２４（たとえば、扁平表面、平らな側面、平坦な表面、直線セグメント）とを含む周囲（たとえば、閉じた平面図の境界）を有し得る。複数のファセット３１６、３１８、３２０、３２２、３２４の各隣接ペアは鈍角で隣接し得る。一実装形態では、基板３０２は、第１の表面（たとえば、上面３１０）と、対向する第２の表面（たとえば、底面３１２）と、基板の周囲における縁部とを含むことができ、縁部は、Ｎ個の数の直線セグメント（たとえば、複数のファセット３１６、３１８、３２０、３２２、３２４）に隣接する曲線セグメント（たとえば、半円形縁部３１４）を含み、ここでＮの値は２以上であり得る。図３Ａおよび図３Ｂの例示的な実装形態では、Ｎは５に等しい。
【００４９】
表示領域３０６は、アクティブなピクセル（たとえば、発光アクティブピクセル回路）を含み得る。一態様では、表示領域３０６のすべては、アクティブなピクセルを含む。表示領域３０６のすべてがアクティブなピクセルを含む表示領域３０６は、本明細書ではアクティブ表示領域と呼ばれる場合がある。ピクセルは、基板３０２および上位層３０４の上、中および／または上方に作製され得る。表示領域３０６は、円形であり得る。表示領域３０６は、ディスプレイパネル３００内に中心を置かれ得る。表示領域３０６内に設置されるタイプのディスプレイは、たとえば、液晶ディスプレイ（バックライト付き、透過型）または上面発光型有機発光ダイオード（ＯＬＥＤ）ディスプレイとして作製され得る。他のタイプのディスプレイが許容できる。
【００５０】
手首に装着可能なスマートウォッチなどのウェアラブルデバイスのサイズは変化し得る。本明細書で提供する寸法は例示的であり、いかなる態様においても限定することは意図されていない。それらの寸法は、本明細書で説明する例示的な態様を読者が可視化するのを助けるために提供される。たとえば、いくつかの実装形態では、表示領域３０６は、約１５ｍｍ〜約５０ｍｍの直径を占有することができ、いくつかの実装形態では、表示領域３０６は、約３３ｍｍの直径を占有することができるが、より大きいかまたはより小さい直径が許容され得る。追加の例として、いくつかの実装形態では、表示領域３０６は、約１００ｘ１００〜約１０００ｘ１０００ピクセルを有することができ、いくつかの実装形態では、表示領域３０６は、約３２０ｘ３２０ピクセルを有することができるが、より大きいかまたはより小さい数のピクセルが許容され得る。
【００５１】
例として、本明細書で説明する例示的な態様を限定する意図なしに、約３２０ｘ３２０ピクセルを有する表示領域３０６は、約３６０の接続を有するディスプレイドライバ（たとえば、ディスプレイドライバチップ、ディスプレイドライバ特定用途向け集積回路（ＡＳＩＣ））によって収容され得る。したがって、基板３０２の表面は、約３２０ｘ３２０ピクセルを有する表示領域３０６を収容するために約３６０の接続パッドを含み得る。しかしながら、いくつかの実装形態では、ディスプレイドライバは、表示領域３０６内のピクセルの数に応じて、約４〜約１０００の範囲の数の接続を有し得る。想定され得るガラスまたはプラスチック上の回路統合における発展を考慮して、ディスプレイドライバへのより少ない数の接続が、少なくとも一部において本明細書で企図され得る。
【００５２】
表示領域３０６の中に、ディスプレイを形成するトランジスタおよび／またはダイオードが存在し得る。当業者に諒解されるように、表示領域３０６は、交差するピクセルの行および列３３０（たとえば、表示領域３０６にわたって分配されたピクセルの行および列）から形成され得る。図３Ａおよび図３Ｂの例示的な態様では、３２０の行と３２０の列とが存在し、それにより３２０ｘ３２０ピクセルを収容することができる。伝送線路は、表示領域３０６内に含まれるピクセルの列線および行線（たとえば、発光アクティブピクセル回路）に結合し得る。伝送線路は、基板３０２の複数の接続パッドに結合し得る。複数の接続パッドの大部分は列ドライバ線に結合し得る一方で、複数の接続パッドのうちの他の接続パッドは、たとえば、行ドライバ線、電力線、および／または接地線（図示せず）に結合し得る。
【００５３】
一態様では、境界領域３０８は、表示領域３０６を取り巻くことができる。一態様では、境界領域３０８は、表示領域３０６の周辺に（たとえば、外向きに隣接して、外側に）あり得る。一態様では、境界領域３０８は、表示領域３０６の外縁と基板３０２の外縁の内側との間の領域を占有し得る。境界領域３０８は、たとえば伝送線路（たとえば、制御線、ディスプレイドライバ線、電力線、および／または接地線）の分配を含む、ディスプレイパネル３００によって使用される機能を提供することができ、オングラス回路（ｏｎ−ｇｌａｓｓ  ｃｉｒｃｕｉｔｒｙ）およびシール境界は、境界領域３０８内に収容され得る。境界領域３０８の中に、ディスプレイの行に対するドライバ回路が存在し得る。境界領域３０８の中に、表示領域３０６の列と行の各々に結合された回路トレース（たとえば、導電性相互接続、コンタクト金属）も存在し得る。したがって、境界領域３０８は、伝送線路（たとえば、制御線、ディスプレイドライバ線、電力線、および／または接地線）および／またはアクティブ周辺回路（たとえば、ドライバ回路）を含み得る。いくつかの実装形態では、境界領域３０８は、約０．２ｍｍ〜約３ｍｍの幅を有することができ、いくつかの実装形態では、境界領域３０８は、約１．５ｍｍの幅を有することができ、他の幅が許容できる。たとえば、図３の実装形態において、表示領域３０６が約３３ｍｍの直径を有し、境界領域３０８が約１．５ｍｍの幅を有する場合、例示的な図３のディスプレイパネル３００の基板３０２は、直径が約３６ｍｍであり得る。他の実装形態では、ディスプレイパネル３００の基板３０２の直径は、約１５ｍｍ〜約６０ｍｍに及ぶ場合がある。基板およびディスプレイパネルの他のサイズおよび形状は、本明細書で説明する態様に従って作製され得る。
【００５４】
図３の態様では、基板３０２の縁部は、本明細書では「ファセット」と呼ばれる複数の扁平表面（たとえば、平らな側面、平坦な表面、直線セグメント）を含む。１つのファセットは、多くの辺を有する物の一辺と見なされ得る。ファセットは、ファセットが属する物の形状を切り取る（たとえば、短縮する、縮める）ことができる。一態様では、たとえば、ファセットは、ファセットが属する物の形状を切り取るので、ファセットは、ファセットが属する物から突出し得ない。
【００５５】
図３の基板は、たとえば、上面３１０、底面３１２、半円形縁部３１４、第１のファセット３１６、第２のファセット３１８、第３のファセット３２０、第４のファセット３２２、第５のファセット３２４を含む８つの面（または縁部）を有する。５つのファセットは、例示のために示されている。いくつかの実装形態では、２つ以上のファセットが存在し得る。いくつかの実装形態では、ファセットの数は、約２〜約１０のファセットに、または約２〜約６のファセットに及ぶ場合がある。ファセットの数において他の範囲が許容できる。ファセットの数は、たとえば、基板の直径、ファセットの長さ、接続パッドの密度、各ファセットに隣接する接続パッドの数などを含む多くの要因に依存する場合がある。一態様では、各ファセットは、対向する終了点を有する直線セグメントから構成され得る。隣接ファセットは、対向する終了点において互いに隣接し得るかまたは、基板材料は、隣接する隣接ファセットの対向する終了点の間に設置され得る。複数のファセット３１６、３１８、３２０、３２２、３２４のうちの両端におけるファセットは、半円形縁部３１４の対応する終了点と隣接し得る。一態様では、基板材料は、半円形縁部３１４の対応する終了点と隣接する、複数のファセットのうちの両端におけるファセットの間に設置され得る。
【００５６】
半円形縁部３１４、第１のファセット３１６、第２のファセット３１８、第３のファセット３２０、第４のファセット３２２、および第５のファセット３２４を有する基板３０２は、基板３０２の全体的真円度を切り取る扁平縁部を有するとしても、概ね円形形状を維持している。したがって、図３に示す基板３０２など、複数のファセットを有する基板は、本明細書では実質的な円形基板と呼ばれる場合がある。
【００５７】
図４は、本明細書で説明する一態様による、図３の基板３０２と同様の基板４０２の平面図を示す。基板４０２は、表示領域４０６と、境界領域４０８と、半円形縁部４１４と、５つのファセット４１６〜４２４（たとえば、平らな側面、平坦な表面、扁平縁部、直線セグメント）とを含む。図４の例示的な態様では、５つのファセット４１６〜４２４の各々は、所与の角度量「Ａ」によって互いに分離されている。ファセットの各隣接ペアは、鈍角４３２（たとえば、９０度より大きいが１８０度より小さい角度）で隣接している。言い換えれば、複数のファセット４１６、４１８、４２０、４２２、４２４は、基板４０２の外周に沿って隣接しており、ファセット４１６〜４２４の各隣接ペアは鈍角で隣接し得る。本明細書で使用する、隣接しているとは、別の物に近いこと、および直接的または間接的に接触していることを意味し得る。図４の構成では、すべてのファセットの長さは等しく、隣接ファセットの終了点は互いに当接する。他の構成が許容できる。たとえば、一態様では、ファセットの長さの一部または全部が、互いに等しくない場合がある。一態様では、基板の円形部は、隣接ファセットの終了点の間に位置し得る（この場合、隣接ファセットと平行でそこから延びる線は鈍角で交差することになる）。一態様では、一部または全部のファセットの間の角度分離は、互いに異なる場合がある。
【００５８】
図４の態様では、基板４０２は、基板４０２上の第１の点４３６（たとえば、基板の中心）から測定された第１の半径４３４を有する。基板４０２の外縁は、第１の終了点４３８および第２の終了点４４０を有する半円形縁部４１４が、半円形縁部４１４の第１の終了点４３８および第２の終了点４４０に隣接するファセットの終了点に隣接することによって形成され得る。半円形縁部４１４は、基板４０２上の第１の点４３６から測定された第１の半径４３４を有し得る。複数のファセット４１６、４１８、４２０、４２２、４２４の各々は、第１の半径４３４を有する円上にある終了点を有することができ、円の原点は、基板４０２上の第１の点４３６と一致し得る。したがって、一例では、基板４０２の複数のファセット４１６、４１８、４２０、４２２、４２４および半円形縁部４１４の終了点は、同じ円上にある。図４の態様では、第１の半径４３４は約１９ｍｍ（基板４０２の例示的な３８ｍｍの直径の半分）であり得る一方で、第２の半径４４２は（１．５ｍｍの境界領域を考慮して）約１７．７ｍｍであり得る。図４の例示的な実装形態では、第１の半径４３４と第２の半径４４２との間の差は、境界領域４０８の幅であり得る。寸法は、例として提供される。本明細書で提供するいずれの態様も、本開示の範囲を限定することを意図されていない。より小さいかまたはより大きい基板直径および境界領域が許容できる。
【００５９】
図３および図４の構成は、従来技術の角度より広い角度領域にわたってディスプレイパネル３００との間で伝送線路（たとえば、制御線、ディスプレイドライバ線、電力線、および／または接地線）を分配することを可能にし得る。たとえば、図３および図４の構成は、たとえば、図１のフラットタイヤ領域１１０または図２のタブ構造２１０によって表されるより狭い角度領域ではなく、複数のファセット４１６、４１８、４２０、４２２、４２４を含む角度領域内に伝送線路を分配することを可能にし得る。たとえば、例示的な３６０本のディスプレイドライバ線の場合、図４の例示的な態様は、５つの接続領域（たとえば、複数のファセット４１６、４１８、４２０、４２２、４２４に隣接する領域）（各々は７２個の接続パッドを有する）が、１つの接続領域（たとえば、フラットタイヤ構成におけるフラットタイヤ領域１１０またはタブ構成におけるタブ構造２１０）（各々は３６０個の接続パッドを有する）と置き換わることを可能にする。５つの接続領域の間で接続パッドを分配することで、１つだけの接続領域と比較して、ディスプレイパネル４００の周辺回りで各接続領域がより狭い角距離（たとえば、より小さい弧、より小さい弧長）を占有することが可能になり得る。加えて、５つの接続領域の間で接続パッドを分配することで、１つだけの接続領域と比較して、各接続領域がより少ない接続パッドを含むことが可能になり得る。さらに、角距離が狭いほど、基板の切り取りは小さくなる。言い換えれば、所与の直径および所与の数の接続パッドを有する基板３０２、４０２に対して、接続パッドの１つのグループ内の接続パッドの数を減少させながら、ファセット３１６〜３２４、４１６〜４２４の量を増加させることで、境界領域３０８、４０８の幅の低減が容易になり得る。
【００６０】
たとえば、各々が７２個の接続パッドを有する５つの接続領域（たとえば、複数のファセット４１６、４１８、４２０、４２２、４２４に隣接する領域）を収容することで、３６０個の接続パッドを有する１つの接続領域を収容するために使用される幅より小さくなり得る幅を境界領域４０８が有することが可能になり得る。
【００６１】
図５は、本明細書で説明する一態様による、伝送線路５２６（たとえば、制御線、ディスプレイドライバ線、電力線、および／または接地線）および接続パッド５２８のサンプルが描かれている、基板５０２の平面図を示す。煩雑を避けるために、行ドライバ線、電力線、および／または接地線は、表示領域５０６または境界領域５０８内に描かれていない。
【００６２】
ディスプレイパネル５００は、基板５０２を含む。基板５０２の縁部は、第１のファセット５１６と、第２のファセット５１８と、第３のファセット５２０と、第４のファセット５２２と、第５のファセット５２４とを含む。５つのファセットは、例示のために示されている。より小さいかまたはより大きい数のファセットが許容できる。ディスプレイパネル５００は、表示領域５０６を含む。表示領域５０６は、円形であり得る。当業者には諒解されるように、表示領域５０６内のディスプレイは、交差するピクセルの行および列から形成され得る。ディスプレイのピクセルの行は、行ドライバ線（図示せず）に結合され得る。ディスプレイのピクセルの列は、伝送線路５２６に結合され得る。図５は、伝送線路５２６の代表的サンプルを描いている。
【００６３】
いくつかの実装形態では、各ファセット５１６〜５２４は、接続パッド５２８の１つまたは複数の行が隣接して形成され得る縁部をもたらす。縁部は平坦であり得る。縁部はまっすぐであり得る。接続パッド５２８は、ファセットの縁部と表示領域５０６との間の境界領域５０８内で基板５０２上に形成され得る。図５の例では、図面の煩雑を避けるために、接続パッド５２８の１つの行が、各ファセット５１６〜５２４の縁部に隣接して示されている。互い違いの行が許容できる。図面の煩雑を避けるために、伝送線路５２６の代表的サンプルが描かれている。伝送線路５２６の各伝送線路は、接続パッド５２８のうちの対応する接続パッドに結合し得る。たとえば、図５のディスプレイパネル５００は、液晶ディスプレイ（バックライト付き、透過型）または上面発光型有機発光ダイオード（ＯＬＥＤ）ディスプレイであってもよく、これらは両方とも、接続パッドと伝送線路とを利用する。
【００６４】
接続パッド５２８は、複数アームのフレキシブル回路板（たとえば、フレキシブル基板回路板、フレキシブルリボン回路板、フレキシブルフィルム回路板）のうちの１つのアームの接続部に結合するように構成され得る。結合は、たとえば、高密度の接続を可能にする異方性はんだまたははんだプリフォームを使用して達成され得る。一態様によれば、ファセット当たり１つのアームが、基板の裏面と基板の前面との間でディスプレイ基板の縁部回りに巻き付くことができる。アームは、複数の接続パッドを含み得る。アームの複数の接続パッドは、ファセットに隣接する対応する接続パッド５２８に結合され得る。
【００６５】
図６は、本明細書で説明する一態様による、筐体６０５の凹部６０４内のディスプレイパネル６００を示す。一態様では、筐体６０５は、円形の（たとえば、丸い）内壁６０３を有する。ディスプレイパネル６００は、基板６０２を含み得る。ディスプレイパネル６００および基板６０２は、（たとえば、基板６０２の外縁上に複数のファセット６１６を含むことによって）実質的に円形であり得る。筐体６０５の外側および筐体６０５の凹部６０４の内壁６０３は円形であり得る。表示領域６０６は、基板６０２上に作製され得る。一態様では、表示領域６０６は、円形（たとえば、丸い形）であり得る。表示領域６０６は、ディスプレイパネル６００内に中心を置かれ得る。ディスプレイパネル６００は、筐体６０５内に中心を置かれ得る。
【００６６】
図６の例では、基板６０２は、本来均一に円形の基板６０２の外縁を乱す複数のファセット６１６を有する実質的円形形状を有し得る。複数のファセット６１６の各々に隣接するＤ字型の開口部６１０は、基板６０２の外周と凹部６０４の内周との間に存在し得る。したがって、Ｄ字型の開口部６１０の各々は、複数のファセット６１６のうちの１つによって画定される直線セグメントと、凹部６０４の内周によって画定される曲線セグメントとを有し得る。複数アームのフレキシブル回路板（たとえば、フレキシブル基板回路板、フレキシブルリボン回路板、フレキシブルフィルム回路板）の１つのアームは、Ｄ字型の開口部６１０を通過して基板６０２回りに延びる（たとえば、回りに巻き付く）ことができる。
【００６７】
表示領域６０６は、表示領域６０６のすべてにわたって分配されたピクセルの行および列（図示せず）を含み得る。ピクセルの行および列は、複数の伝送線路（たとえば、制御線、ディスプレイドライバ線、電力線、および／または接地線）（図示せず）に結合され得る。伝送線路は、複数の接続パッド６２８に結合され得る。接続パッド６２８のグループ６２６（たとえば、集合）は、複数のファセット６１６の各々に隣接して形成され得る。たとえば、図６の代表的な例では、接続パッドの複数のグループ（たとえば、接続パッドのＮ個のグループ、ここでＮは２以上であり得る）は、複数の伝送線路にそれぞれ結合され得、接続パッド６２８の各グループ６２６は、複数のファセット６１６のうちの１つに隣接し得る。
【００６８】
図７は、本明細書で説明する第１の態様によるディスプレイドライバアセンブリ７０１を示す。ディスプレイドライバアセンブリ７０１は、本明細書ではフレキシブル回路板７０３（たとえば、フレキシブル基板回路板、フレキシブルリボン回路板、フレキシブルフィルム回路板）と呼ばれる複数アームのフレキシブル回路板を含み得る。ディスプレイドライバアセンブリ７０１は、ディスプレイドライバ７０９（たとえば、ディスプレイドライバチップ、ディスプレイドライバ特定用途向け集積回路（ＡＳＩＣ））を含み得る。一態様では、ディスプレイドライバ７０９は、フレキシブル回路板７０３（たとえば、チップオンフレックス）に動作可能に搭載され得る。一態様では、フレキシブル回路板７０３は、１つのディスプレイドライバ７０９のみを含み得る。ディスプレイドライバアセンブリ７０１は、プリント回路板７０４を随意に含み得る。フレキシブル回路板７０３の形状は、フレキシブル回路板７０３に結合されたディスプレイパネル（図示せず）の形状に基づき得る。
【００６９】
フレキシブル回路板７０３は、フレキシブル回路板７０３から延びる各アームの周辺において接続パッド７２０（たとえば、ボンドパッド）に結合された導電トレースを含み得る。図７の代表的な例では、第１のアーム７０８、第２のアーム７１０、第３のアーム７１２、第４のアーム７１４および第５のアーム７１６の５つのアームが示されている。複数のアーム７０８〜７１６内の各アームは、あらかじめ指定された折り畳み線７１８回りに折り畳まれ得る。例示的な実装形態では、複数のアーム７０８〜７１６内の各アームは、複数のアーム７０８〜７１６を基板の外縁回りに巻き付けることと、複数のアーム７０８〜７１６上の接続パッド７２０が基板上の接続パッドの対応するグループに結合される前にフレキシブル回路板７０３を基板の裏面に隣接して位置決めすることとを容易にするために、対応する（たとえば、それぞれの）ファセットの縁部に平行な１つのあらかじめ指定された折り畳み線７１８を含む。結合は、たとえば、異方性導電フィルム（ＡＣＦ）材料を使用して達成され得る。
【００７０】
図８は、本明細書で説明する一態様による、ディスプレイドライバアセンブリ８１１に結合されたディスプレイパネル８００を含むデバイスを示す。ディスプレイドライバアセンブリ８１１は、本明細書ではフレキシブル回路板８０５（たとえば、フレキシブル基板回路板、フレキシブルリボン回路板、フレキシブルフィルム回路板）と呼ばれる複数アームのフレキシブル回路板を含み得る。ディスプレイドライバアセンブリ８１１は、ディスプレイドライバ８０７（たとえば、ディスプレイドライバチップ、ディスプレイドライバ特定用途向け集積回路（ＡＳＩＣ））を含み得る。一態様では、ディスプレイドライバ８０７は、フレキシブル回路板８０５（たとえば、チップオンフレックス）に動作可能に搭載され得る。一態様では、フレキシブル回路板８０５は、１つのディスプレイドライバ８０７のみを含み得る。ディスプレイドライバアセンブリ８１１は、プリント回路板（図示せず）を随意に含み得る。フレキシブル回路板８０５の形状は、フレキシブル回路板８０５に結合されたディスプレイパネル８００の形状に基づき得る。
【００７１】
図８の例示的な実装形態では、ディスプレイパネル８００は、基板８０２を含み得る。例として、基板８０２は、約１５ｍｍ〜約５０ｍｍの直径を有する表示領域８０６（たとえば、アクティブピクセル回路領域）を含むことができ、いくつかの実装形態では、表示領域８０６は約３３ｍｍの直径を占有することができるが、より大きいかまたはより小さい直径が許容できる。
【００７２】
図８の例は、たとえば、フレキシブル回路板８０５を基板８０２の縁部回りに折り畳む前のフラットな段階において、基板８０２に結合（たとえば、接着）され得る（たとえば、フレックスとガラスの接着）フレキシブル回路板８０５の一例を提供する。図８の例では、フレキシブル回路板８０５は、複数のファセット８１７を含む。図８の例では、フレキシブル回路板８０５は、本明細書では総称して複数のアーム８３０、８３２、８３４と呼ばれる第１のアーム８３０と、第２のアーム８３２と、第３のアーム８３４とを含む。図８の例では、基板８０２の第１の接続パッド８２８とフレキシブル回路板８０５の第２の接続パッド８２９とが重複状態で示されている。フレキシブル回路板８０５の第２の接続パッド８２９が基板８０２の第１の接続パッド８２８に接着された後、フレキシブル回路板８０５の複数のアーム８３０、８３２、８３４の各々は、複数のアーム８３０、８３２、８３４を基板８０２の外縁回りに巻き付けることと、フレキシブル回路板８０５をディスプレイパネル８００の裏面に隣接して位置決めすることとを容易にするために、複数のファセット８１７のうちの対応する（たとえば、それぞれの）ファセットの縁部に平行な折り畳み部８２５と、アームの長さに沿った複数の非平行な折り畳み部８２７とに沿って折り畳まれ得る。非平行な折り畳み部８２７は、フレキシブル回路板８０５が基板８０２の縁部回りに巻き付けられたとき、接着された第１の接続パッド８２８、第２の接続パッド８２９、およびフレキシブル回路板８０５自体にかかるトルクおよび／または応力を中和、緩和および／または軽減させ得るジョイントとして作用し得る。フレキシブル回路板８０５を基板８０２の縁部回りに折り畳む前のフラットな段階における結合は、フレキシブル回路板が最初に折り畳まれる場合にフレキシブル回路板に損傷を生じることなく、結合の間に高くて均一な圧力および温度がフレキシブル回路板８０５および基板８０２に加えられることを可能にし得る。フレキシブル回路板８０５を折り畳む前のフラットな段階における結合はまた、フレキシブル回路板８０５と基板８０２との間の整合を改善し、フレキシブル回路板８０５と基板８０２とを結合するために使用される製造時間を低減することができる。
【００７３】
フレキシブル回路板８０５は、フレキシブル回路板８０５から延びる複数のアーム８３０、８３２、８３４の周辺において第２の接続パッド８２９（たとえば、ボンドパッド）に結合された導電トレースを含み得る。
【００７４】
一態様によれば、図８は、基板８０２を有するデバイスを例示することができ、基板８０２は、複数のファセット８１７に隣接する曲線セグメント８１４を含む周囲を含むことができ、複数のファセット８１７の各隣接ペアは鈍角で隣接している。基板８０２は、基板８０２の表面上にピクセルの行および列を含む表示領域８０６をさらに含み得る。基板８０２は、表示領域８０６を取り巻く境界領域８０８をさらに含み得る。基板８０２は、ピクセルに結合され、第１の接続パッド８２８のグループに分割された複数の第１の接続パッド８２８を境界領域８０８内にさらに含むことができ、第１の接続パッド８２８のグループの各々は、複数のファセット８１７のうちの対応するファセットに隣接して設置され得る。デバイスは、複数のファセット８１７に対応する複数のアームを有するフレキシブル回路板８０５をさらに含むことができ、複数のアーム８３０、８３２、８３４の各々は、第１の接続パッド８２８のグループのうちの対応する１つのグループに結合される。
【００７５】
一実装形態では、曲線セグメント８１４は半円形であり得る。表示領域８０６は、円形であり得る。境界領域８０８は、環状であり得る。本明細書で使用する「環状」という用語は、リング形を意味し得る。一態様によれば、境界領域８０８は幅（たとえば、基板の中心から半径方向の幅）を有することができ、所与の直径および所与の量の第１の接続パッド８２８を有する基板８０２に対して、境界領域８０８の幅は、第１の接続パッド８２８のグループの各々の中の第１の接続パッド８２８の数を低減するために、ファセットを複数のファセット８１７に追加することによって低減され得る。一実装形態では、デバイスは、フレキシブル回路板８０５に動作可能に結合されたディスプレイドライバ８０７を付加的に含むことができ、複数のファセット８１７に隣接する第１の接続パッド８２８のグループは、フレキシブル回路板８０５の複数のアーム８３０、８３２、８３４を介してディスプレイドライバ８０７に結合され得る。一態様では、フレキシブル回路板８０５は、１つのディスプレイドライバ８０７のみを含み得る。
【００７６】
一実装形態では、アームを基板の周囲回りに巻き付けることと、アームの第２の接続パッド８２９が基板８０２の対応する第１の接続パッド８２８に結合された後にフレキシブル回路板８０５を基板８０２の裏面に隣接して位置決めすることとを容易にするために、複数のアーム８３０、８３２、８３４のうちの１つのアーム（たとえば、第１のアーム８３０）は、複数のファセット８１７のうちの対応するファセットの縁部に平行な折り畳み部８２５と複数の非平行な折り畳み部８２７とを含む。
【００７７】
図９Ａおよび図９Ｂは、本明細書で説明する一態様による、ディスプレイドライバアセンブリ９０３の上に位置するディスプレイパネル９００を示す。ディスプレイパネル９００は、複数のファセット９０７（たとえば、カットされた縁部）に隣接する半円形縁部９０５を有する基板９０２（たとえば、ガラスまたはプラスチック）を含み得る。一態様では、基板９０２は、複数のファセット９０７（たとえば、ファセットセグメント）に隣接する曲線セグメント（たとえば、半円形縁部９０５）を含む周囲を含む。一態様では、複数のファセット９０７は、（たとえば、直接的または間接的に隣接して）互いに隣接し得る。ディスプレイパネル９００は、表示領域９０６を含み得る。ディスプレイドライバアセンブリ９０３は、フレキシブル回路板９１０（たとえば、フレキシブル基板回路板、フレキシブルリボン回路板、フレキシブルフィルム回路板）を含み得る。ディスプレイドライバアセンブリは、プリント回路板９１２に結合されたディスプレイドライバ９０９（たとえば、ディスプレイドライバチップ、ディスプレイドライバ特定用途向け集積回路（ＡＳＩＣ））を含み得る。破線で示されたディスプレイドライバアセンブリ９０３の部分は、視界から隠された、ディスプレイパネル９００の下に位置する。本明細書で使用する下にという用語は、何かの下の空間を占有することを意味し得る。第１のアーム９１４、第２のアーム９１６、第３のアーム９１８、第４のアーム９２０および第５のアーム９２２は、ディスプレイパネル９００の下から外に延びる。図９Ａでは、アームは折り畳まれない状態で示されている。
【００７８】
図９Ｂは、ディスプレイドライバアセンブリ９０３の上に位置する図９Ａのディスプレイパネル９００を示す。図９Ａと図９Ｂとの間の差は、第１のアーム９１４、第２のアーム９１６、第３のアーム９１８、第４のアーム９２０および第５のアーム９２２の各々は、今や基板９０２回りに折り畳まれているように示されていることであり、折り畳み部は、複数のファセット９０７の対応する数の縁部に平行である。フレキシブル回路板９１０の第１のアーム９１４、第２のアーム９１６、第３のアーム９１８、第４のアーム９２０および第５のアーム９２２の各々は、対応するファセットに隣接する接続パッドに結合（たとえば、接着、電気的に接続）され得る。
【００７９】
一実装形態によれば、デバイス（たとえば、ディスプレイパネル９００）は、複数のファセット９０７を有する境界（たとえば、周囲、外周）を有する基板９０２を含み得る。複数のファセット９０７の各々は、接続パッド（たとえば、図６の６２８）の行が隣接して形成され得る縁部を提供し得る。一態様によれば、フレキシブル回路板９１０の複数のアーム９１４〜９２２の各アームは、複数のファセット９０７のうちの対応するファセット回りに巻き付くことができる。フレキシブル回路板９１０の複数のアーム９１４〜９２２の各アームは、複数のファセット９０７のうちの対応するファセットに隣接する接続パッドに結合され得る。デバイスは、基板９０２上に表示領域９０６を含み得る。基板９０２は、表示領域９０６にわたって分配されたピクセルの行および列を含み得る。ピクセルの行および列は、接続パッドに結合され得る。
【００８０】
一態様によれば、各アームを基板９０２の周囲回りに巻き付けることと、各アームの複数の第２の接続パッドが基板９０２の対応する第１の接続パッドに結合される前にフレキシブル回路板９１０を基板９０２の裏面に隣接して位置決めすることとを容易にするために、複数のアーム９１４〜９２２の各アームは、対応するファセット（たとえば、複数のファセット９０７内の対応するファセット）の縁部に平行な１つの折り畳み部だけを含み得る。
【００８１】
図１０は、本明細書で説明する一態様による、筐体１００５の凹部１００４内のディスプレイパネル１００１の縁部分を示す。図１０の例示的な実装形態では、筐体１００５の凹部１００４の直径は約３６ｍｍであり得る。ディスプレイパネル１００１の最大外径は、（たとえば、筐体１００５の凹部１００４の内側とディスプレイパネル１００１の外縁との間に約０．０５ｍｍのギャップを設けるために）約３５．９ｍｍであり得る。代替の例示的な実装形態では、ディスプレイパネル１００１の最大外径は、（たとえば、筐体１００５の凹部１００４の内側とディスプレイパネル１００１の外縁との間に約０．１ｍｍのギャップを設けるために）約３５．８ｍｍであり得る。ディスプレイパネル１００１は、視覚的参照のために、図１０において破線として示されている。ディスプレイパネル１００１は、たとえば、複数のファセット１０２４が基板１００２上に存在する領域において、基板１００２の外部プロファイルと同じかまたは同様の外部プロファイルを取るように切り取られ得る。このようにしてディスプレイパネル１００１を切り取ることで、複数アームのフレキシブル回路板の１つのアームが通過（たとえば、筐体１００５の内壁とディスプレイパネル１００１との間を通過）し得る開口がもたらされ得る。いくつかの実装形態では、筐体１００５の凹部１００４の直径（たとえば、筐体１００５の内径）は、約１５ｍｍ〜約６０ｍｍに及び得る一方で、筐体１００５の外径は、約２０ｍｍ〜約６５ｍｍに及び得る。一態様では、複数のファセット１０２４の隣接ペアは、鈍角１０３２で隣接し得る。
【００８２】
図１０の例は、複数アームのフレキシブル回路板（たとえば、フレキシブル基板回路板、フレキシブルリボン回路板、フレキシブルフィルム回路板）のアーム１０１４を描いており、ここでアーム１０１４は、基板１００２（たとえば、ガラスまたはプラスチック）の複数のファセット１０２４回りに巻き付けられる。アーム１０１４（追加のアームが存在し得るが空間の制約上示されていない）は、ディスプレイドライバアセンブリ（図示せず）からのものであり得る。図１０の例示的な実装形態では、基板１００２（たとえば、底のガラス）は、約３５．２ｍｍの直径を有し得る。
【００８３】
基板１００２（たとえば、底のガラス）は、複数のファセット１０２４に結合された１つの半円形縁部（図示せず）を有し得る。基板１００２は、表示領域１００６（アクティブ領域とも呼ばれる）を含み得る。表示領域１００６は、アクティブなピクセル（たとえば、発光アクティブピクセル回路）を含み得る。すなわち、ピクセルは、アクティブ表示領域であるように構成され得る。図１０の例示的な実装形態では、表示領域１００６は、直径約３１．６ｍｍであり得る。アーム１０１４（複数アームのフレキシブル回路板の部分）は、基板１００２の裏面の下から外に延びる。図１０では、アーム１０１４は、折り畳まれた状態で示されている。すなわち、アーム１０１４は、基板１００２回りに折り畳まれている（たとえば、回りに巻き付けられている）ように示されており、ここで折り畳み部は、複数のファセット１０２４内の対応するファセットの縁部に平行である。複数のファセット１０２４内の対応するファセットの縁部は、仮想線（破線）で示されている。
【００８４】
一実装形態では、アーム１０１４の各々は、約１００のリードまたはトレースを含み得る。例として、いくつかの実装形態では、リードまたはトレースの幅は約２０μｍ±５μｍであり得る一方で、間隔もまた約２０μｍ±５μｍであり得る。いくつかの実装形態では、リードまたはトレースと、隣接空間とを足した幅は、約４０μｍ以下である。一実装形態では、表示領域１００６（たとえば、アクティブ領域）は、直径約３１．６ｍｍであり得る。ディスプレイパネル１００１は、カバーガラスまたはカバーフィルム１０３１（たとえば、ＬＣＤまたは薄膜パッケージングアウトラインの上部ガラス）を含み得る。カバーガラスまたはカバーフィルム１０３１は基板１００２の上に位置し、基板１００２の表面および回路を保護し得る。一実装形態では、カバーガラスまたはカバーフィルム１０３１の直径は、約３３ｍｍである。
【００８５】
約０．７ｍｍのフリット境界１０３３（たとえば、リング形状のフリット層、環状フリット境界）は、カバーガラスまたはカバーフィルム１０３１の外縁から内向きに表示領域１００６の縁部の方に及ぶことができる。当業者には諒解されるように、フリットは、高温で溶解してガラスを作る、シリカと融剤との混合物であり得る。フリット境界１０３３は、基板１００２（たとえば、底のガラス）およびカバーガラスまたはカバーフィルム１０３１がともに密封される領域（たとえば、密封領域）であり得る。一実装形態では、カバーガラスまたはカバーフィルム１０３１の外縁と複数のファセット１０２４内のファセットの縁部との間の最大距離は約０．９ｍｍであり得る。最大距離のうち、約０．３ｍｍの距離が、折り畳まれた状態のアーム１０１４の縁部とカバーガラスまたはカバーフィルム１０３１の縁部との間に残され得る。したがって、折り畳まれた状態におけるアーム１０１４の縁部と複数のファセット１０２４内のファセットの縁部との間の約０．６ｍｍの距離は残されたままであり得る。
【００８６】
アーム１０１４は、最小曲げ半径を有し得る。最小曲げ半径によって、凹部１００４の縁部と複数のファセット１０２４内のファセットの縁部との間の距離は増加することができる。最小曲げ半径は、アーム１０１４を作製するために使用される材料（たとえば、フレキシブル回路板を作製するために使用される材料）の厚さ、アーム１０１４内に伝送線路（たとえば、制御線、ディスプレイドライバ線、電力線、および／または接地線）を作製するために使用される導電材料（たとえば、金属）の厚さおよびタイプなどを含む多くの要因に左右され得る。いくつかの実装形態では、最小曲げ半径は、約０．１ｍｍ〜約０．６ｍｍに及ぶ場合がある。いくつかの実装形態では、最小曲げ半径は、約０．３ｍｍ〜約０．４ｍｍであり得る。
【００８７】
図面の煩雑を避けるために、接続パッド１０２８の図示された数は単なる例であり、同様に基板の複数のピクセルを基板上の接続パッド１０２８に結合する複数の伝送線路１０２６（たとえば、制御線、ディスプレイドライバ線、電力線、および／または接地線）は、表示領域１００６と、表示領域１００６の縁部と複数のファセット１０２４内のファセットに隣接する基板の縁部との間の境界領域１００８の部分とを占有する影付き領域としてまとめて示されている。
【００８８】
図１１Ａは、本明細書で説明する一態様による、筐体１１０５の凹部１１０４内のディスプレイパネル１１００の平面図である。図１１Ｂは、図１１Ａの１１Ｂ−１１Ｂと記された線に沿って取られた断面図である。一態様では、筐体１１０５の外部および筐体１１０５の凹部１１０４の内壁１１０３は円形であり得る。ディスプレイパネル１１００は、基板１１０２を含み得る。図１１Ａの例では、基板１１０２は、本来均一に円形の基板１１０２の外縁を乱す複数のファセット１１１６を有する実質的円形形状を有し得る。５つのファセットは、例示のために示されている。図１１Ａの例では、基板１１０２（たとえば、底のガラス）は、複数のファセット１１１６に結合された１つの曲線セグメント１１１４（たとえば、半円形縁部）を有し得る。
【００８９】
表示領域１１０６は、基板１１０２上に作製され得る。一態様では、表示領域１１０６は、円形（たとえば、丸い形）であり得る。別の態様では、表示領域１１０６は、非円形（たとえば、直線および／または曲線のセグメントによって縁どられた閉じた平面図）であり得る。表示領域１１０６は、表示領域１１０６のすべてにわたって分配されたピクセルの行および列１１３０を含み得る。ピクセルの行および列１１３０は、複数の伝送線路（たとえば、制御線、ディスプレイドライバ線、電力線、および／または接地線）（図示せず）に結合され得る。伝送線路は、複数の接続パッド１１２８に結合され得る。接続パッド１１２８のグループ（たとえば、集合）は、複数のファセット１１１６の各々に隣接して形成され得る。言い換えれば、図１１Ａの代表的な例では、接続パッドの複数のグループ１１２７は、対応する複数の伝送線路に結合され得、接続パッド１１２８の複数のグループ１１２７の各々は、複数のファセット１１１６のうちの１つのファセットに隣接し得る。
【００９０】
図１１Ａの例は、フレキシブル回路板１１２４（たとえば、フレキシブル基板回路板、フレキシブルリボン回路板、フレキシブルフィルム回路板）の複数のアーム１１２２（例示のために５つのアームが示されている）を描いており、複数のアーム１１２２の各々は、基板１１０２の複数のファセット１１１６のうちの対応する１つのファセット回りに延びる（たとえば、回りに巻き付く）。フレキシブル回路板１１２４は、基板１１０２の裏面に隣接して位置するプリント回路板１１１８に結合され得る。フレキシブル回路板１１２４の複数のアーム１１２２は、折り畳まれた状態で示されている。すなわち、複数のアーム１１２２は、基板１１０２回りに折り畳まれている（たとえば、回りに巻き付けられている）ように示されており、ここで折り畳み部は、複数のファセット１１１６内の対応するファセットの縁部に平行である。一実装形態では、複数のアーム１１２２内のアームの各々は、約１００のリードまたはトレースを含み得る。単に例として、いくつかの実装形態では、リードまたはトレースの幅は約２０μｍ±５μｍであり得る一方で、間隔もまた約２０μｍ±５μｍであり得る。いくつかの実装形態では、リードまたはトレースと隣接空間とを足した幅は、約４０μｍ以下であり得る。図１１の例示的な実装形態では、表示領域１１０６は、直径約３１．６ｍｍである。
【００９１】
ディスプレイパネル１１００は、カバーガラスまたはカバーフィルム１１３１（たとえば、ＬＣＤまたは薄膜パッケージングアウトラインの上部ガラス）を含み得る。カバーガラスまたはカバーフィルム１１３１は基板１１０２の上に位置し、基板１１０２の表面および回路を保護し得る。フリット層１１３３（たとえば、リング形状のフリット層、環状フリット境界）は、カバーガラスまたはカバーフィルム１１３１の外縁から内向きに表示領域１１０６の縁部の方に及ぶことができる。当業者には諒解されるように、フリットは、高温で溶解してガラスを作る、シリカと融剤との混合物であり得る。フリット層１１３３は、基板１１０２（たとえば、底のガラス）とカバーガラスまたはカバーフィルム１１３１とをともに密封し得る。複数の接続パッド１１２８は、複数のファセット１１１６内のファセットの外縁とフリット層１１３３との間に配置され得る。複数の接続パッド１１２８は、複数のアーム１１２２の下に位置し得る。
【００９２】
一態様では、デバイス（たとえば、ディスプレイパネル、スマートウォッチ）は、曲線セグメント１１１４と複数のファセット１１１６とを含む周囲を有する基板１１０２を含むことができ、複数のファセット１１１６の各隣接ペアは鈍角で隣接し得る。デバイスは、表示領域１１０６をさらに含み得る。一態様では、表示領域１１０６は、基板１１０２の表面上にピクセルの行および列１１３０を含み得る。デバイスは、表示領域１１０６を取り巻く、基板１１０２上の境界領域１１０８をさらに含み得る。一態様では、複数の接続パッド１１２８は、境界領域１１０８内に設置され得る。一態様では、複数の接続パッド１１２８は、ピクセル１１３０に結合され得る。一態様では、複数の接続パッドは、接続パッド１１２８の複数のグループ１１２７に分割され得、接続パッドの複数のグループ１１２７の各々は、複数のファセット１１１６のうちの対応する１つのファセットに隣接し得る。デバイスは、複数のファセット１１１６に対応する複数のアーム１１２２を有するフレキシブル回路板１１２４をさらに含むことができ、複数のアーム１１２２の各々は、複数のファセット１１１６（たとえば、基板１１０２の裏面と基板１１０２の前面との間）のうちの対応するファセットの回りに巻き付けられ得る。複数のアーム１１２２の各々は、接続パッド１１２８の複数のグループ１１２７のうちの対応する１つのグループに結合され得る。一実装形態では、デバイスはディスプレイドライバ１１０９をさらに含むことができ、複数のファセット１１１６に隣接する接続パッドのグループからの伝送線路は、フレキシブル回路板１１２４の複数のアーム１１２２を介してディスプレイドライバ１１０９に結合される。一態様では、デバイスは、１つのディスプレイドライバ１１０９のみを含み得る。一態様では、フレキシブル回路板１１２４は、ディスプレイドライバ１１０９を含む。
【００９３】
別の態様では、デバイス（たとえば、電子デバイス、ディスプレイパネル、スマートウォッチ）は、第１の表面、対向する第２の表面、および基板の周囲における縁部を含む基板１１０２を含み得る。縁部は、Ｎ個のファセット（たとえば、平らな側面、平坦な表面、扁平縁部、直線セグメント）に隣接する曲線セグメント１１１４を含むことができ、ここでＮは２以上である。一態様では、Ｎ個のファセットのうちの隣接ペアは、鈍角で隣接し得る。基板１１０２は、基板１１０２の第１の表面上に行および列に分配された複数のピクセル１１３０を含み得る。複数のピクセル１１３０は、基板１１０２の表示領域１１０６内に分配され得る。デバイスは、基板１１０２の第１の表面上の接続パッド１１２８の複数のグループ１１２７（本明細書では代替的にＮ個のグループ１１２７と呼ばれ、ここでＮの値は２以上であり得る）をさらに含み得る。接続パッド１１２８のＮ個のグループ１１２７は、表示領域１１０６の周辺の境界領域１１０８内に設置され得る。接続パッド１１２８のＮ個のグループ１１２７の各々は、Ｎ個のファセットのうちの対応する１つのファセット（たとえば、複数のファセット１１１６内のそれぞれのファセット）に隣接して位置し得る。デバイスは、複数のピクセル１１３０を接続パッド１１２８のＮ個のグループ１１２７に結合する複数の伝送線路（たとえば、制御線、ディスプレイドライバ線、電力線、および／または接地線）をさらに含み得る。デバイスは、複数のアームを有するフレキシブル回路板１１２４（たとえば、Ｎ個のアームで構成されたフレキシブル回路板、ここでＮの値は２以上である）をさらに含み得る。一態様によれば、Ｎ個のアームの各々は、接続パッド１１２８のＮ個のグループ１１２７のうちの対応する１つのグループに結合され得る。
【００９４】
いくつかの態様では、曲線セグメント１１１４は半円形であり得る。いくつかの態様では、表示領域１１０６は円形であり得る。いくつかの態様では、第１の直径と、第１の数の接続パッド１１２８とを有する基板１１０２に対して、複数のファセット１１１６内のファセットの量（たとえば、ファセットの数Ｎ）を増加させながら、接続パッド１１２８のＮ個のグループ１１２７の各々の中の接続パッド１１２８の数を減少させることで、境界領域１１０８の幅が低減される。
【００９５】
いくつかの態様では、Ｎ個のアームの各々は、１つの折り畳み部を含むことができ、ここで１つの折り畳み部は、対応するファセットの縁部に平行である。いくつかの態様では、Ｎ個のアームの各々は、１つの折り畳み部のみを含むことができ、ここで１つの折り畳み部は、対応するファセットの縁部に平行である。ファセットの縁部に平行な１つの折り畳み部は、Ｎ個のアームを基板１１０２の縁部回りに巻き付けることと、Ｎ個のアームが接続パッド１１２８のＮ個のグループ１１２７に結合される前にフレキシブル回路板１１２４を基板１１０２の裏面に隣接して位置決めすることとを容易にし得る。
【００９６】
いくつかの態様では、Ｎ個のアームを基板１１０２の縁部回りに巻き付けることと、Ｎ個のアームが接続パッド１１２８のＮ個のグループ１１２７に結合された後にフレキシブル回路板１１２４を基板の裏面に隣接して位置決めすることとを容易にするために、Ｎ個のアームの各々は、対応するファセットの縁部に平行な１つの折り畳み部と、複数の非平行な折り畳み部とを含む。
【００９７】
フレキシブル回路板を有する例示的なディスプレイパネル
図１２は、本明細書で説明する一態様による、フレキシブル回路板１２２０（たとえば、フレキシブル基板回路板、フレキシブルリボン回路板、フレキシブルフィルム回路板）に接着された基板１２０２の部分図を示す。フレキシブル回路板１２２０は、単一のアームを含み得る。基板１２０２は、フレキシブル回路板１２２０のより詳細な観察を可能にするために部分図で示されている。
【００９８】
基板１２０２は、「底のガラス」と呼ばれることがある。いくつかの実装形態では、基板１２０２の外径１２１３は、約１５ｍｍ〜約６０ｍｍに及ぶことができる。一実装形態では、基板１２０２（たとえば、底のガラス）は、約３５．９ｍｍの外径１２１３を有し得る。一実装形態によれば、基板１２０２（たとえば、底のガラス）は、円形または実質的円形形状を有し得る。一実装形態では、基板１２０２は円形の外周（たとえば、丸い外周）を有することができ、たとえば、基板１２０２は、基板の周辺回りに連続的な円形縁部（たとえば、丸い縁部）を有し得る。別の実装形態では、基板１２０２は半円形縁部を含むことができ、ファセット（たとえば、扁平表面）からなる縁部をさらに含み得る。一例では、ファセットは、フレキシブル回路板１２２０のアーム１２０４の第２の部分１２０５に隣接し得る。
【００９９】
基板１２０２は、表示領域１２０６（アクティブ領域とも呼ばれる）を含み得る。表示領域１２０６は、円形であり得る。表示領域１２０６は、アクティブなピクセル（図示せず）（たとえば、発光アクティブピクセル回路）（たとえば、アクティブ表示領域）を含み得る。一実装形態では、表示領域１２０６は直径約３２．９ｍｍ（ここで３２．９ｍｍは、フレキシブル回路板１２２０の約０．３ｍｍの曲げ半径を考慮して、ディスプレイパネルの全径３５．９ｍｍから境界領域幅１．５ｍｍの２倍を減算することによって得られ得る）であり得る。
【０１００】
基板１２０２は、フリット境界１２０９を含み得る。フリット境界１２０９は、環状の形状を有し得る。一実装形態では、フリット境界１２０９は幅約０．５ｍｍであり得る一方で、表示領域１２０６の縁部と基板１２０２の縁部との間の環状境界領域１２０８の幅は約１．２ｍｍであり得る。
【０１０１】
基板１２０２は、表示領域１２０６の周辺である環状境界領域１２０８を含み得る。環状境界領域１２０８の中に、複数の第１の接続パッド１２２２が存在し得る。図１２の図の煩雑を避けるため、第１の接続パッド１２２２の総数のうちの小さい割合の接続パッドが示されている。第１の接続パッド１２２２は、ディスプレイドライバ１２１２へのインターフェースをとるために、フレキシブル回路板１２２０上の対応する第２の接続パッド１２２４に結合し得る。
【０１０２】
例として、３２０ｘ３２０ピクセルのディスプレイを収容するように構成された表示領域１２０６は、３６０の相互接続を有するディスプレイドライバ１２１２を使用し得る。したがって、少なくとも３６０の第１の接続パッド１２２２は、フレキシブル回路板１２２０のアーム１２０４の第１の部分１２１０の対応する第２の接続パッド１２２４に結合するために、環状境界領域１２０８の一部分に配列され得る。
【０１０３】
第２の接続パッド１２２４は、第１の接続パッド１２２２に重複し得る。例示的な一実装形態によれば、第１の接続パッド１２２２および第２の接続パッド１２２４は、約０．１００ｍｍの中心間ピッチを有する０．０８０ｘ０．１００ｍｍのパッドであり得る。一実装形態では、第１の接続パッド１２２２および第２の接続パッド１２２４は、第１のピッチＰ１を有し得る。図１２の代表的な例では、第１の接続パッド１２２２および第２の接続パッド１２２４は、一定の縮尺で描かれていない。
【０１０４】
次にフレキシブル回路板１２２０を参照すると、図１２は、基板１２０２の第１の接続パッド１２２２をフレキシブル回路板１２２０の第２の接続パッド１２２４に結合（たとえば、動作可能に電気的に結合、接着）した後のフレキシブル回路板１２２０を描いている。図１２の代表的な例では、フレキシブル回路板１２２０は、ボディ１２０７とアーム１２０４とを含むことができ、アームは、第１の部分１２１０と第２の部分１２０５との２つの部分を有し得る。
【０１０５】
第１の部分１２１０は、基板１２０２の複数の第１の接続パッド１２２２のうちの対応する接続パッドに結合されるように構成された複数の第２の接続パッド１２２４を含み得る。第１の部分１２１０の形状は、環状境界領域１２０８のセグメントの形状に対応し得る。いくつかの実装形態では、環状境界領域１２０８のセグメントの形状は、リングの半円形セグメントに対応し得る。いくつかの実装形態では、第１の部分の外径は、基板１２０２の外径１２１３以下であり得る。いくつかの実装形態では、半径方向の第１の部分１２１０の幅は、半径方向の環状境界領域１２０８の幅に対応し得る。いくつかの実装形態では、半径方向の第１の部分１２１０の幅は、半径方向の環状境界領域１２０８の幅以下であることによって、半径方向の環状境界領域１２０８の幅に対応し得る。いくつかの態様では、表示領域１２０６の縁部の近傍にある第１の部分１２１０の縁部は、表示領域１２０６の縁部まで延びることができる。たとえば製造公差を考慮するために、図１２に示すように、ギャップが、表示領域１２０６の縁部と第１の部分１２１０の縁部との間に残され得る。
【０１０６】
一態様では、表示領域１２０６の縁部の近傍にある第１の部分１２１０の縁部は、フリット境界１２０９の中に延びる（たとえば、侵入する）ことができる。一実装形態では、アーム１２０４の第１の部分１２１０の縁部を表示領域１２０６の縁部に向けて、およびたとえばフリット境界１２０９の中に延ばすことで、複数の伝送線路１２２６が第２の接続パッド１２２４とアーム１２０４の第２の部分１２０５との間を延びるときに、複数の伝送線路１２２６を経路指定するために利用可能な空間が増加し得る。
【０１０７】
図１２の代表的な例では、図の煩雑を避けるため、複数の伝送線路１２２６の総数のうちの小さい割合の伝送線路が示されている。図１２の代表的な例では、複数の伝送線路１２２６は、一定の縮尺で描かれていない。一実装形態では、アーム１２０４の第２の部分１２０５内の複数の伝送線路１２２６の中心間ピッチは、第２のピッチＰ２と呼ばれることがある。
【０１０８】
本明細書で説明する態様では、Ｐ１はＰ２より大きくあり得る。言い換えれば、アーム１２０４の第１の部分１２１０内の第２の接続パッド１２２４のパッド間の間隔は、アームの第２の部分１２０５内の対応する複数の伝送線路１２２６の間の線間の間隔より大きく（より広く）あり得る。
【０１０９】
したがって、フレキシブル回路板１２２０のアーム１２０４の第１の部分１２１０に対応する基板１２０２の第１の領域は、基板１２０２の第１の接続パッド１２２２を収容するように構成され得る。基板１２０２の第１の接続パッド１２２２は、フレキシブル回路板１２２０の第２の接続パッド１２２４に結合（たとえば、接着）され得る。一実装形態では、基板１２０２の第１の領域は、環状境界領域１２０８の１つのセグメントであり得る。一実装形態では、環状境界領域１２０８のセグメントは、分割されない（たとえば、連続的な、壊されない）セグメントであり得る。
【０１１０】
アーム１２０４の第２の部分１２０５は、第２の接続パッド１２２４から延びる（たとえば、発する）複数の伝送線路１２２６（たとえば、制御線、ディスプレイドライバ線、電力線、および／または接地線）を収容するように構成され得る。複数の伝送線路１２２６は、ディスプレイドライバ１２１２を複数の第２の接続パッド１２２４に結合し得る。複数の伝送線路１２２６は、アーム１２０４の第１の部分１２１０の上および／または中でアーム１２０４の第２の部分１２０５まで経路指定され、アーム１２０４の第２の部分１２０５の上および／または中の領域を占有することができる。一態様では、アーム１２０４の第１の部分１２１０の弧長１２１１は、アーム１２０４の第２の部分１２０５の弧長１２０３より大きくあり得る。本明細書で使用するように、弧長は、たとえば基板１２０２の周辺において測定されるとき、アーム１２０４のある部分（たとえば、第１の部分１２１０、第２の部分１２０５）の対向端部において終了点を有する弧の長さであり得る。一態様では、アーム１２０４の第１の部分１２１０の弧長１２１１は、アーム１２０４の第２の部分１２０５の幅より大きくあり得る。いくつかの実装形態では、第２の部分１２０５は、約１ｍｍ〜約１２ｍｍに及ぶ幅を有することができ、いくつかの実装形態では、第２の部分１２０５は、約５ｍｍの幅を有することができる。
【０１１１】
アーム１２０４の第２の部分１２０５は、基板１２０２回りに巻き付くように構成され得る。アーム１２０４の第２の部分１２０５は、たとえば、基板１２０２の縁部に平行な折り畳み線に沿って基板１２０２回りに巻き付くことができる。基板１２０２の外周がファセット１２１５に隣接する曲線セグメントを含む一態様では、折り畳み線は、基板１２０２のファセット１２１５に隣接し得る。第２の部分１２０５は、最小曲げ半径を有し得る。最小曲げ半径は、第２の部分１２０５を作製するために使用される材料（たとえば、フレキシブル回路板１２２０を作製するために使用される材料）の厚さ、第２の部分１２０５内に伝送線路を作製するために使用される導電材料（たとえば、金属）の厚さおよびタイプなどを含む要因に左右され得る。いくつかの実装形態では、最小曲げ半径は、約０．１ｍｍ〜約０．６ｍｍに及び得る。いくつかの実装形態では、最小曲げ半径は、約０．３ｍｍ〜約０．４ｍｍであり得る。
【０１１２】
一態様では、複数の伝送線路１２２６は、アーム１２０４の第２の部分１２０５内に収容され得、第２の部分１２０５は、たとえば、アーム１２０４の第１の部分１２１０内の対応する第２の接続パッド１２２４の中心間ピッチ（たとえば、Ｐ１）より小さい中心間ピッチ（たとえば、Ｐ２）を有する伝送線路を実装することによって、アーム１２０４の第１の部分１２１０より比較的狭くあり得る。一態様では、複数の伝送線路１２２６は、たとえば、アーム１２０４の第２の部分１２０５の上および／または中の複数の伝送線路１２２６の密度を増大させるために多層を有するフレキシブル回路板１２２０を実装することによって、アーム１２０４の比較的より狭い第２の部分１２０５内に収容され得る。一態様では、複数の伝送線路１２２６は、たとえば、アーム１２０４の第１の部分１２１０内の対応する第２の接続パッド１２２４の中心間ピッチ（たとえば、Ｐ１）より小さい中心間ピッチ（たとえば、Ｐ２）を有する伝送線路を実装することと、アーム１２０４の第２の部分１２０５の上および／または中の複数の伝送線路１２２６の密度を増大させるために多層を有するフレキシブル回路板１２２０を実装することとによって、アーム１２０４の比較的より狭い第２の部分１２０５内に収容され得る。
【０１１３】
一実装形態によれば、基板１２０２は円形の外周を含むことができ、フレキシブル回路板１２２０のアーム１２０４の第２の部分１２０５に隣接する領域内に円形縁部を提示し得る。別の実装形態によれば、基板１２０２は外周を含むことができ、外周はファセット１２１５（たとえば、平坦なセグメント）に隣接する曲線セグメントを含み、ファセット１２１５はフレキシブル回路板１２２０のアーム１２０４の第２の部分１２０５に隣接し得る。第２の部分１２０５は、ファセット１２１５に隣接する基板１２０２の縁部回りに巻き付くように構成され得る。
【０１１４】
例示的な電子デバイス
図１３Ａは、本明細書で説明する図３〜図１２の基板のうちのいずれかを含み得る電子デバイス１３００（たとえば、１つのデバイス）の一実装形態の上面の平面図を示す。図１３Ｂは、図１３Ａの線１３Ｂ−１３Ｂに沿って取られた断面図を示す。電子デバイス１３００は、ウェアラブルデバイスであり得る。一態様では、電子デバイス１３００は、スマートウォッチと呼ばれることがある腕時計様のウェアラブルデバイスであり得る。
【０１１５】
電子デバイス１３００は、筐体１３０５を含む。筐体１３０５は、内壁１３４０と外壁１３４２とを有する凹部１３０４を有し得る。電子デバイス１３００は、ベゼル１３２８を含み得る。筐体１３０５は、筐体１３０５の上面の中、またはベゼル１３２８の中に開口１３３８を有することができ、開口を通して、ユーザは筐体１３０５内に配設された基板１３０２の表示領域１３０６を見ることができる。基板１３０２は、ディスプレイパネルの構成要素として含まれ得る。ディスプレイパネルは、たとえば、基板１３０２とカバーガラスまたはフィルム１３３０とを含み得る。
【０１１６】
いくつかの実装形態では、筐体１３０５は、円形（たとえば、丸い筐体）であり得る。いくつかの実装形態では、内壁１３４０は円形（たとえば、丸い内壁）であり得、外壁１３４２は円形（たとえば、丸い外壁）であり得る。いくつかの実装形態では、筐体１３０５の内壁１３４０および／または外壁１３４２は、円形および非円形のセグメントを含み得る。基板１３０２は、凹部１３０４内に配設され得る。
【０１１７】
表示領域１３０６は、基板１３０２上に作製され得る。図１３の例示的な態様では、表示領域１３０６は、円形であり得る。表示領域１３０６は、基板１３０２内に中心を置かれ得る。表示領域１３０６は、表示領域（クロスハッチパターンとして描かれている）にわたって分配されたピクセルの行および列（たとえば、発行アクティブピクセル回路）を含み得る。すなわち、ピクセルは、アクティブ表示領域であるように構成され得る。基板１３０２の境界領域１３０８は、筐体１３０５またはベゼル１３２８の縁部の下に隠され得る。表示領域１３０６内のピクセルおよび境界領域１３０８内の周辺回路に結合された伝送線路（たとえば、制御線、ディスプレイドライバ線、電力線、および／または接地線）上の信号は、境界領域１３０８内の接続パッドの間でディスプレイドライバ（たとえば、チップ、ＡＳＩＣ）に結合され得る。一態様では、信号は、複数アームのフレキシブル回路板（たとえば、フレキシブル基板回路板、フレキシブルリボン回路板、フレキシブルフィルム回路板）を介して、基板の前面（たとえば、上面）から基板の裏面に隣接するディスプレイドライバまで結合され得る。別の態様では、信号は単一アームのフレキシブル回路板を介して結合され得、基板１３０２の境界領域１３０８内の接続パッドの中心間ピッチは、基板の前面（たとえば、上面）と裏面との間で基板１３０２回りに巻き付く単一アームのフレキシブル回路板の一部分の中の伝送線路の中心間ピッチより大きい。ディスプレイドライバは、基板１３０２の裏面に隣接するフレキシブル回路板に組み込まれ得る。表示領域１３０６のすべては、筐体１３０５の上面から見ることができる。腕時計のガラス１３３２は、たとえば、カバーガラスまたはフィルム１３３０に隣接する筐体１３０５内の開口１３３８を満たすことができる。
【０１１８】
手首ストラップ１３３４は、筐体１３０５に結合され得る。手首ストラップ１３３４は、たとえば、手首ストラップ接続点１３３６によって筐体１３０５に結合され得る。手首ストラップ１３３４および手首ストラップ接続点１３３６は、当業者に諒解されるように、任意の形状を取ることができる。
【０１１９】
「例示的」という語は、本明細書において「一例、事例、または例示としての働きをすること」を意味するために使用される。本明細書で「例示的」として説明されている任意の実施形態または態様は、必ずしも本開示の他の態様よりも好ましいまたは有利であると解釈されるべきではない。同様に、「態様」という用語は、本開示のすべての態様が、論じられた特徴、利点、または動作モードを含むことを必要としない。「結合される」という用語は、２つの物体間の直接的または間接的な結合を指すために本明細書において使用される。たとえば、物体Ａが物体Ｂに物理的に接触し、物体Ｂが物体Ｃに接触する場合、物体ＡとＣはやはり、直接的に物理的に互いに接触しない場合であっても、互いに結合されると見なされ得る。
【０１２０】
加えて、本明細書に含まれる様々な開示が、フローチャート、フロー図、構造図、またはブロック図として示されるプロセスとして説明され得ることに留意されたい。フローチャートは動作を逐次プロセスとして説明することがあるが、動作の多くは同時にまたは並行して実行することができる。加えて、動作の順序は並べ替えられてよい。プロセスは、その動作が完了したとき、終了される。
【０１２１】
本明細書で説明した本開示の様々な特徴は、本開示から逸脱することなく様々なシステムにおいて実施され得る。本開示の上記の態様が例にすぎず、本開示を限定するものとして解釈すべきでないことに留意されたい。本開示の態様の説明は、例示的であることを意図しており、特許請求の範囲を限定することを意図していない。したがって、本教示は、他のタイプの装置に容易に適用することができ、多くの代替形態、修正形態、および変形形態が、当業者には明らかであろう。
【符号の説明】
【０１２２】
１００  ディスプレイパネル
１０２  基板
１０４  表示領域
１０６  境界領域
１０８  線
１１０  フラットタイヤ領域
１１２  フレキシブル回路板
１１４  コネクタ
１１６  伝送線路
２００  ディスプレイパネル
２０２  基板
２０４  表示領域
２０６  境界領域
２１０  タブ構造
２１２  フレキシブル回路板
２１４  コネクタ
２１６  伝送線路
３００  ディスプレイパネル
３０２  基板
３０４  上位層
３０６  表示領域
３０８  境界領域
３１０  上面
３１２  底面
３１４  半円形縁部
３１６  第１のファセット
３１８  第２のファセット
３２０  第３のファセット
３２２  第４のファセット
３２４  第５のファセット
３３０  ピクセルの行および列
４００  ディスプレイパネル
４０２  基板
４０６  表示領域
４０８  境界領域
４１４  半円形縁部
４１６  ファセット
４１８  ファセット
４２０  ファセット
４２２  ファセット
４２４  ファセット
４３２  鈍角
４３４  第１の半径
４３６  第１の点
４３８  第１の終了点
４４０  第２の終了点
４４２  第２の半径
５００  ディスプレイパネル
５０２  基板
５０６  表示領域
５０８  境界領域
５１６  第１のファセット
５１８  第２のファセット
５２０  第３のファセット
５２２  第４のファセット
５２４  第５のファセット
５２６  伝送線路
５２８  接続パッド
６００  ディスプレイパネル
６０２  基板
６０３  内壁
６０４  凹部
６０５  筐体
６０６  表示領域
６０８  境界領域
６１０  Ｄ字型の開口部
６１６  ファセット
６２６  接続パッドのグループ
６２８  接続パッド
７０１  ディスプレイドライバアセンブリ
７０３  フレキシブル回路板
７０４  プリント回路板
７０８  第１のアーム
７０９  ディスプレイドライバ
７１０  第２のアーム
７１２  第３のアーム
７１４  第４のアーム
７１６  第５のアーム
７１８  折り畳み線
７２０  接続パッド
８００  ディスプレイパネル
８０２  基板
８０５  フレキシブル回路板
８０６  表示領域
８０７  ディスプレイドライバ
８０８  境界領域
８１１  ディスプレイドライバアセンブリ
８１４  曲線セグメント
８１７  ファセット
８２５  縁部に平行な折り畳み部
８２７  縁部に非平行な折り畳み部
８２８  第１の接続パッド
８２９  第２の接続パッド
８３０  第１のアーム
８３２  第２のアーム
８３４  第３のアーム
９００  ディスプレイパネル
９０２  基板
９０３  ディスプレイドライバアセンブリ
９０５  半円形縁部
９０６  表示領域
９０７  ファセット
９０８  境界領域
９０９  ディスプレイドライバ
９１０  フレキシブル回路板
９１２  プリント回路板
９１４  第１のアーム
９１６  第２のアーム
９１８  第３のアーム
９２０  第４のアーム
９２２  第５のアーム
１０００  ディスプレイパネルの部分図
１００１  ディスプレイパネル
１００２  基板
１００４  凹部
１００５  筐体
１００６  表示領域
１００８  境界領域
１０１４  アーム
１０２４  ファセット
１０２６  伝送線路
１０２８  接続パッド
１０３１  カバーガラスまたはカバーフィルム
１０３２  鈍角
１０３３  フリット境界
１１００  ディスプレイパネル
１１０２  基板
１１０３  内壁
１１０４  凹部
１１０５  筐体
１１０６  表示領域
１１０８  境界領域
１１０９  ディスプレイドライバ
１１１４  曲線セグメント
１１１６  ファセット
１１１８  プリント回路板
１１２２  アーム
１１２４  フレキシブル回路板
１１２７  接続パッドのグループ
１１２８  接続パッド
１１２９  不明
１１３０  ピクセルの行および列
１１３１  カバーガラスまたはカバーフィルム
１１３３  フリット層
１２０２  基板
１２０３  弧長
１２０４  アーム
１２０５  第２の部分
１２０６  表示領域
１２０７  ボディ
１２０８  境界領域
１２０９  フリット境界
１２１０  第１の部分
１２１１  弧長
１２１２  ディスプレイドライバ
１２１３  外径
１２１５  ファセット
１２２０  フレキシブル回路板
１２２２  第１の接続パッド
１２２４  第２の接続パッド
１２２６  伝送線路
１３００  電子デバイス
１３０２  基板
１３０４  凹部
１３０５  筐体
１３０６  表示領域
１３０８  境界領域
１３１８  回路板
１３２８  ベゼル
１３３０  カバーガラスまたはフィルム
１３３２  腕時計のガラス
１３３４  手首ストラップ
１３３６  手首ストラップ接続点
１３３８  開口
１３４０  内壁
１３４２  外壁
【図１】
2019506628.tif 000003
【図２】
2019506628.tif 000004
【図３Ａ】
2019506628.tif 000005
【図３Ｂ】
2019506628.tif 000006
【図４】
2019506628.tif 000007
【図５】
2019506628.tif 000008
【図６】
2019506628.tif 000009
【図７】
2019506628.tif 000010
【図８】
2019506628.tif 000011
【図９Ａ】
2019506628.tif 000012
【図９Ｂ】
2019506628.tif 000013
【図１０】
2019506628.tif 000014
【図１１Ａ】
2019506628.tif 000015
【図１１Ｂ】
2019506628.tif 000016
【図１２】
2019506628.tif 000017
【図１３Ａ】
2019506628.tif 000018
【図１３Ｂ】
2019506628.tif 000019
【国際調査報告】
2019506628.tif 000020
2019506628.tif 000021
2019506628.tif 000022
2019506628.tif 000023
2019506628.tif 000024